(57)【要約】  本発明は、従来技術におけるダウンリンクビームの通信品質の良好な検出の欠如の問題を解決するため、ビーム検出の方法および装置を提供する。当該ビーム検出の方法は、ユーザ機器は、Ｍ個のビームを使用してネットワークデバイスによって送信されたビーム品質監視信号を受信するステップと、Ｍ個のビーム品質監視信号の信号品質インデックスを決定し、Ｍ個のビーム品質監視信号のそれぞれのビーム品質監視信号の信号品質インデックスに基づいて、ビーム品質監視信号の送信のためのビームのビーム品質インデックスを決定し、第１の検出レポートを生成するステップと、ネットワークデバイスに第１の検出レポートを送信するステップとを備え、前記第１の検出レポートは、Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む。
2021501537.tif 000002
【特許請求の範囲】
【請求項１】
ユーザ機器は、Ｍ個のビームを使用してネットワークデバイスによって送信されたビーム品質監視信号を受信するステップと、
前記ユーザ機器は、前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定するステップと、
前記ユーザ機器は、第１の検出レポートを生成するステップと、
前記ユーザ機器は、ネットワークデバイスに前記第１の検出レポートを送信するステップとを備え、
前記ビーム品質監視信号は、ビーム品質を監視するために使用される信号であり、Ｍは正の整数であり、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含むことを特徴とするビーム検出の方法。
【請求項２】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含むことを特徴とする請求項１に記載のビーム検出の方法。
【請求項３】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含むことを特徴とする請求項１に記載のビーム検出の方法。
【請求項４】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
および、
前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含むことを特徴とする請求項１に記載のビーム検出の方法。
【請求項５】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
前記ユーザ機器がＭ個のビームのビーム品質パラメータを決定した後、さらに、
ユーザ機器は、第２の検出レポートを生成し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記ユーザ機器は、ネットワークデバイスに前記第２の検出レポートを送信することを特徴とする請求項１に記載のビーム検出の方法。
【請求項６】
前記Ｍ個のビームは、前記ユーザ機器との通信に利用可能であると決定された第１のビームであり、Ｍ個の第１のビームを通じて送信されるビーム品質監視信号は、第１のビーム品質監視信号であり、
前記第１の検出レポートは、
前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含むことを特徴とする請求項１に記載のビーム検出の方法。
【請求項７】
前記ユーザ機器が、ネットワークデバイスに前記第１の検出レポートを送信した後、さらに、
前記ユーザ機器は、Ｎ個の第２のビームを使用してネットワークデバイスによって送信された第２のビーム品質監視信号を受信し、前記第２のビームは、前記ユーザ機器との通信に使用されると決定されなかったビームであり、Ｎは正の整数であり、
前記ユーザ機器は、前記Ｎ個の第２のビーム品質監視信号の信号品質インデックスを決定し、前記Ｎ個のビーム品質監視信号のそれぞれの第２のビーム品質監視信号の信号品質インデックスに基づいて、前記第２のビーム品質監視信号の送信に使用される第２のビームのビーム品質インデックスを決定し、
前記ユーザ機器は、第２の検出レポートを生成し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、
前記ユーザ機器は、ネットワークデバイスに前記第２の検出レポートを送信することを特徴とする請求項６に記載のビーム検出の方法。
【請求項８】
前記第１の検出レポートは、第１のビーム中のビーム品質インデックスが第１のしきい値を満たさないすべてのＬ１個のビームの表示情報、および／または、前記Ｌ１個のビーム中のビーム品質インデックスが最良または最悪のＫ１個のビームのビーム品質インデックスを含み、
前記Ｋ１は１であり、または、Ｋは、Ｌ１およびＨのうちの小さい方であり、Ｈは、前記第１の検出レポートを送信するために前記ユーザ機器によって使用されるアップリンクリソースによって運ばれるビーム品質インデックスの最大数であることを特徴とする請求項２、請求項５から請求項７のいずれか一項に記載のビーム検出の方法。
【請求項９】
前記第１の検出レポートは、第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックスを含むことを特徴とする請求項２、請求項５から請求項７のいずれか一項に記載のビーム検出の方法。
【請求項１０】
前記第１の検出レポートは、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含み、前記Ｋ３は１であり、または、Ｋ３は、Ｌ２およびＨのうちの小さい方であり、Ｈは、前記第１の検出レポートを送信するために前記ユーザ機器によって使用されるアップリンクリソースによって運ばれるビーム品質インデックスの最大数であることを特徴とする請求項３に記載のビーム検出の方法。
【請求項１１】
前記第１の検出レポートは、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含むことを特徴とする請求項３に記載のビーム検出の方法。
【請求項１２】
前記第１の検出レポートは、
第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックスを含み、
および
第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含み、
前記Ｋ２は、第１のビーム中のビーム品質インデックスが第１のしきい値を満たさないビームの総数より小さいか等しく、Ｋ４は、第２のビーム中のビーム品質インデックスが第２のしきい値を満たすビームの総数より小さいか等しいことを特徴とする請求項４に記載のビーム検出の方法。
【請求項１３】
前記第２の検出レポートは、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含み、
前記Ｋ３は１であり、または、Ｋ３は、Ｌ２およびＨのうちの小さい方であり、Ｈは、前記第１の検出レポートを送信するために前記ユーザ機器によって使用されるアップリンクリソースによって運ばれるビーム品質インデックスの最大数であることを特徴とする請求項５または請求項６に記載のビーム検出の方法。
【請求項１４】
前記第２の検出レポートは、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含むことを特徴とする請求項５または請求項６に記載のビーム検出の方法。
【請求項１５】
ユーザ機器がビームのビーム品質インデックスを決定することは、
前記ビームを通じて送信されたビーム品質監視信号の信号品質インデックスを、ビームのビーム品質インデックスとすること、または、
前記ビームを通じて送信されたビーム品質監視信号の信号品質インデックスに基づいて、前記ビームに対応するリソース集合の仮想通信品質インデックスを決定し、前記ビームに対応するリソース集合の仮想通信品質インデックスをビームのビーム品質インデックスとすること、または、
前記ビームを通じて送信されたビーム品質監視信号の信号品質インデックスに基づいて、前記ビームに対応するダウンリンクチャネルの仮想通信品質インデックスを決定し、前記ビームに対応するダウンリンクチャネルの仮想通信品質インデックスを、ビームのビーム品質インデックスとすること、または、
前記ビームを通じて送信されたビーム品質監視信号の信号品質インデックスに基づいて、前記ビームに対応するサーチスペースの仮想通信品質インデックスを決定し、前記ビームに対応するサーチスペースの仮想通信品質インデックスをビームのビーム品質インデックスとすることを含むことを特徴とする請求項１から請求項１４のいずれか一項に記載のビーム検出の方法。
【請求項１６】
前記第１の検出レポートが少なくとも２つの第１のビームの表示情報を含む場合、前記少なくとも２つの第１のビームの表示情報はビームのビーム品質インデックスに従って順序付けされ、
および／または、
前記第１の検出レポートが少なくとも２つの第１のビームのビーム品質インデックスを含む場合、少なくとも２つの第１のビームのビーム品質インデックスは、ビームのビーム品質インデックスに従って順序付けされることを特徴とする請求項１、請求項２、請求項４から請求項１４のいずれか一項に記載のビーム検出の方法。
【請求項１７】
前記第１の検出レポートが少なくとも２つの第２のビームの表示情報を含む場合、前記少なくとも２つの第２のビームの表示情報はビームのビーム品質インデックスに従って順序付けされ、
および／または、
前記第１の検出レポートが少なくとも２つの第２のビームのビーム品質インデックスを含む場合、少なくとも２つの第２のビームのビーム品質インデックスは、ビームのビーム品質インデックスに従って順序付けされることを特徴とする請求項１、請求項３、請求項４、請求項１０から請求項１２のいずれか一項に記載のビーム検出の方法。
【請求項１８】
前記第１の検出レポートは、パディングビット、または、予約ビットをさらに含むことを特徴とする請求項１から請求項１７のいずれか一項に記載のビーム検出の方法。
【請求項１９】
前記パディングビットは、第１のしきい値を満たすビーム中のビーム品質インデックスが最悪のＫ５個のビームのビーム品質インデックス、および／または、第２のしきい値を満たさないビーム中のビーム品質インデックスが最良のＫ６個のビームのビーム品質インデックスを含むことを特徴とする請求項１８に記載のビーム検出の方法。
【請求項２０】
前記第１の検出レポートは、
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１の検出レポートに含まれるビーム品質インデックスが第２のしきい値を満たすビームの表示情報の量を示す表示情報、および／または
前記第１の検出レポートに含まれるビーム品質インデックスが第２のしきい値を満たすビームのビーム品質インデックスの量を示す表示情報、および／または
前記第１の検出レポートに含まれるビーム品質インデックスが第１のしきい値を満たさないビームの表示情報の位置を示す表示情報、および／または
前記第１の検出レポートに含まれるビーム品質インデックスが第１のしきい値を満たさないビームのビーム品質インデックス位置を示す表示情報、および／または
前記第１の検出レポートに含まれるビーム品質インデックスが第２のしきい値を満たすビームの表示情報の位置を示す表示情報、および／または
前記第１の検出レポートに含まれるビーム品質インデックスが第２のしきい値を満たすビームのビーム品質インデックス位置を示す表示情報、および／または
第１の検出レポートのタイプを示す情報を含み、
前記第１の検出レポートのタイプは、第１のしきい値を満たさないビームの検出レポートと、第２のしきい値を満たすビームの検出レポートと、第１のしきい値を満たさないビームの検出レポートと、第２のしきい値を満たすビームの検出レポートとを含むことを特徴とする請求項１から請求項１９のいずれか一項に記載のビーム検出の方法。
【請求項２１】
前記第１の検出レポートに含まれるビーム品質インデックスが第１のしきい値を満たさないビームの表示情報の量は、ネットワークデバイスと合意した第１の量であり、および／または
前記第１の検出レポートに含まれるビーム品質インデックスが第１のしきい値を満たさないビームのビーム品質インデックスの量は、ネットワークデバイスと合意した第２の量であり、および／または
前記第１の検出レポートに含まれるビーム品質インデックスが第２のしきい値を満たすビームの表示情報の量は、ネットワークデバイスと合意した第３の量であり、および／または
前記第１の検出レポートに含まれるビーム品質インデックスが第２のしきい値を満たすビームのビーム品質インデックスの量は、ネットワークデバイスと合意した第４の量であることを特徴とする請求項１から請求項２０のいずれか一項に記載のビーム検出の方法。
【請求項２２】
前記ユーザ機器がネットワークデバイスに第１の検出レポートを送信することは、
前記第１の検出レポートを送信するための第１のアップリンクリソースでのユーザ機器による前記第１の検出レポートの送信が、第２のアップリンクリソースでのネットワークデバイスへの第３の信号の送信と衝突するとき、
前記ユーザ機器は、前記第２のアップリンクリソースでの第３の信号の送信をキャンセルし、前記第１のリソースで前記第１の検出レポートを送信し、または、
前記ユーザ機器は、前記第２のアップリンクリソースでの第３の信号の送信をキャンセルし、前記第１のリソースで前記第１の検出レポートおよび前記第３の信号を送信し、または、
前記ユーザ機器は、前記第１のアップリンクリソースでの前記第１の検出レポートの送信をキャンセルし、前記第２のリソースで前記第１の検出レポートを送信し、または、
前記ユーザ機器は、前記第１のアップリンクリソースでの前記第１の検出レポートの送信をキャンセルし、前記第２のリソースで前記第１の検出レポートおよび前記第３の信号を送信することを特徴とする請求項１から請求項２１のいずれか一項に記載のビーム検出の方法。
【請求項２３】
ユーザ機器は、ネットワークデバイスによって送信されたビーム品質監視信号を受信する前、ネットワークデバイスによって送信された構成情報を受信し、前記構成情報は、指示された構成パラメータに従って前記ビーム品質監視信号を受信するように、ユーザ機器に指示することを特徴とする請求項１から請求項２２のいずれか一項に記載のビーム検出の方法。
【請求項２４】
ユーザ機器が第１の検出レポートを生成する前、ネットワークデバイスによって送信された第２の構成情報を受信し、
前記構成情報は、
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１の検出レポートに含まれるビーム品質インデックスが第２のしきい値を満たすビームの表示情報の量を示す表示情報、および／または
前記第１の検出レポートに含まれるビーム品質インデックスが第２のしきい値を満たすビームのビーム品質インデックスの量を示す表示情報、および／または
前記第１の検出レポートに含まれるビーム品質インデックスが第１のしきい値を満たさないビームの表示情報の位置を示す表示情報、および／または
前記第１の検出レポートに含まれるビーム品質インデックスが第１のしきい値を満たさないビームのビーム品質インデックス位置を示す表示情報、および／または
前記第１の検出レポートに含まれるビーム品質インデックスが第２のしきい値を満たすビームの表示情報の位置を示す表示情報、および／または
前記第１の検出レポートに含まれるビーム品質インデックスが第２のしきい値を満たすビームのビーム品質インデックス位置を示す表示情報、および／または
第１の検出レポートのタイプを示す情報、前記第１の検出レポートのタイプは、第１のしきい値を満たさないビームの検出レポートと、第２のしきい値を満たすビームの検出レポートと、第１のしきい値を満たさないビームの検出レポートと、第２のしきい値を満たすビームの検出レポートとを含み、および／または
前記第１の検出レポートに含まれることを許可されたビーム表示情報の最大量の情報、および／または
前記第１の検出レポートに含まれることを許可されたビーム品質インデックスの最大量の情報を含むことを特徴とする請求項１から請求項２３のいずれか一項に記載のビーム検出の方法。
【請求項２５】
ネットワークデバイスは、Ｍ個のビームを使用してビーム品質監視信号を送信するステップと、
ネットワークデバイスは、ユーザ機器により送信された第１の検出レポートを受信するステップとを備え、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含み、
前記ビーム品質監視信号は、ビーム品質を監視するために使用される信号であり、Ｍは正の整数であることを特徴とするビーム検出の方法。
【請求項２６】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
前記ネットワークデバイスが前記第１の検出レポートを受信した後、
前記ネットワークデバイスは、第１のビームから少なくとも１つのビーム品質インデックスが第１のしきい値を満たさないビームを削除することを特徴とする請求項２５に記載のビーム検出の方法。
【請求項２７】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記ネットワークデバイスが前記第１の検出レポートを受信した後、
前記ネットワークデバイスは、少なくとも１つのビーム品質インデックスが第２のしきい値を満たす第２のビームを第１のビームに追加することを特徴とする請求項２５に記載のビーム検出の方法。
【請求項２８】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、および、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記ネットワークデバイスが前記第１の検出レポートを受信した後、
前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加することを特徴とする請求項２５に記載のビーム検出の方法。
【請求項２９】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
ネットワークデバイスは、ユーザ機器により送信された第２の検出レポートを受信し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加することを特徴とする請求項２５に記載のビーム検出の方法。
【請求項３０】
前記Ｍ個のビームは、前記ユーザ機器との通信に利用可能であると決定された第１のビームであり、Ｍ個の第１のビームを通じて送信されるビーム品質監視信号は、第１のビーム品質監視信号であり、前記第１の検出レポートは、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含み、
前記ネットワークデバイスが前記第１の検出レポートを受信した後、
ネットワークデバイスは、Ｎ個の第２のビームを使用してユーザ機器に第２のビーム品質監視信号を送信し、前記第２のビームは、前記ユーザ機器との通信に使用されると決定されなかったビームであり、Ｎは正の整数であり、
ネットワークデバイスは、ユーザ機器によって報告された第２の検出レポートを受信し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、
前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加することを特徴とする請求項２５に記載のビーム検出の方法。
【請求項３１】
ネットワークデバイスユーザ機器にビーム品質監視信号を送信する前に、ユーザ機器に構成情報を送信し、前記構成情報は、指示された構成パラメータに従って前記ビーム品質監視信号を受信するように、ユーザ機器に指示することを特徴とする請求項２５から請求項３０のいずれか一項に記載のビーム検出の方法。
【請求項３２】
ネットワークデバイスは、ユーザ機器に第２の構成情報を送信し、前記第２の構成情報は、
ユーザ機器によって報告された第１の検出レポートのタイプを示す表示情報、および／または
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１の検出レポートに含まれるビーム品質インデックスが第２のしきい値を満たすビームの表示情報の量を示す表示情報、および／または
前記第１の検出レポートに含まれるビーム品質インデックスが第２のしきい値を満たすビームのビーム品質インデックスの量を示す表示情報、および／または
前記第１の検出レポートに含まれるビーム品質インデックスが第１のしきい値を満たさないビームの表示情報の位置を示す表示情報、および／または
前記第１の検出レポートに含まれるビーム品質インデックスが第１のしきい値を満たさないビームのビーム品質インデックス位置を示す表示情報、および／または
前記第１の検出レポートに含まれるビーム品質インデックスが第２のしきい値を満たすビームの表示情報の位置を示す表示情報、および／または
前記第１の検出レポートに含まれるビーム品質インデックスが第２のしきい値を満たすビームのビーム品質インデックス位置を示す表示情報、および／または
前記第１の検出レポートに含まれることを許可されたビーム表示情報の最大量の情報、および／または
前記第１の検出レポートに含まれることを許可されたビーム品質インデックスの最大量の情報を含むことを特徴とする請求項２５から請求項３１のいずれか一項に記載のビーム検出の方法。
【請求項３３】
前記ネットワークデバイスは、ユーザ機器により送信された第１の検出レポートを受信することは、
前記第１の検出レポートを送信するための第１のアップリンクリソースでのユーザ機器による前記第１の検出レポートの送信が、第２のアップリンクリソースでのネットワークデバイスへの第３の信号の送信と衝突するとき、
前記ネットワークデバイスは、前記第２のアップリンクリソースで送信された第３の信号の受信をキャンセルし、前記第１のリソースで送信された前記第１の検出レポートを受信し、または、
前記ネットワークデバイスは、前記第２のアップリンクリソースで送信された第３の信号の受信をキャンセルし、前記第１のリソースで送信された前記第１の検出レポートおよび前記第３の信号を受信し、または、
前記ネットワークデバイスは、前記第１のアップリンクリソースで送信された前記第１の検出レポートの受信をキャンセルし、前記第２のリソースで送信された前記第１の検出レポートを受信し、または、
前記ネットワークデバイスは、前記第１のアップリンクリソースで送信された前記第１の検出レポートの受信をキャンセルし、前記第２のリソースで送信された前記第１の検出レポートおよび前記第３の信号を受信することを含むことを特徴とする請求項２５から請求項３２のいずれか一項に記載のビーム検出の方法。
【請求項３４】
前記ネットワークデバイスは、ユーザ機器により送信された第１の検出レポートを受信した後、ブラインド検出規則に従って前記第１の検出レポートをブラインド検出することを特徴とする請求項２５から請求項３３のいずれか一項に記載のビーム検出の方法。
【請求項３５】
Ｍ個のビームを使用してネットワークデバイスによって送信されたビーム品質監視信号を受信するように構成された受信モジュールと、
前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定し、第１の検出レポートを生成するように構成された処理モジュールと、
ネットワークデバイスに前記第１の検出レポートを送信する送信モジュールとを備え、
前記ビーム品質監視信号は、ビーム品質を監視するために使用される信号であり、Ｍは正の整数であり、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含み、ことを特徴とするビーム検出の装置。
【請求項３６】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含むことを特徴とする請求項３５に記載のビーム検出の装置。
【請求項３７】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含むことを特徴とする請求項３５に記載のビーム検出の装置。
【請求項３８】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
および、
前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含むことを特徴とする請求項３５に記載のビーム検出の装置。
【請求項３９】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
前記処理モジュールはさらに、Ｍ個のビームのビーム品質パラメータを決定した後、第２の検出レポートを生成し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記送信モジュールはさらに、ネットワークデバイスに前記第２の検出レポートを送信することを特徴とする請求項３５に記載のビーム検出の装置。
【請求項４０】
前記Ｍ個のビームは、前記ユーザ機器との通信に利用可能であると決定された第１のビームであり、Ｍ個の第１のビームを通じて送信されるビーム品質監視信号は、第１のビーム品質監視信号であり、
前記第１の検出レポートは、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含むことを特徴とする請求項３５に記載のビーム検出の装置。
【請求項４１】
前記受信モジュールはさらに、前記送信モジュールがネットワークデバイスに前記第１の検出レポートを送信した後、Ｎ個の第２のビームを使用してネットワークデバイスによって送信された第２のビーム品質監視信号を受信し、前記第２のビームは、前記ユーザ機器との通信に使用されると決定されなかったビームであり、Ｎは正の整数であり、
前記処理モジュールはさらに、前記Ｎ個の第２のビーム品質監視信号の信号品質インデックスを決定し、前記Ｎ個のビーム品質監視信号のそれぞれの第２のビーム品質監視信号の信号品質インデックスに基づいて、前記第２のビーム品質監視信号の送信に使用される第２のビームのビーム品質インデックスを決定し、第２の検出レポートを生成し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、
前記送信モジュールはさらに、ネットワークデバイスに前記第２の検出レポートを送信することを特徴とする請求項４０に記載のビーム検出の装置。
【請求項４２】
前記送信モジュールは、
前記第１の検出レポートを送信するための第１のアップリンクリソースでの記第１の検出レポートの送信が、第２のアップリンクリソースでのネットワークデバイスへの第３の信号の送信と衝突するとき、前記第２のアップリンクリソースでの第３の信号の送信をキャンセルし、前記第１のリソースで前記第１の検出レポートを送信し、または、
前記第２のアップリンクリソースでの第３の信号の送信をキャンセルし、前記第１のリソースで前記第１の検出レポートおよび前記第３の信号を送信し、または、
前記第１のアップリンクリソースでの前記第１の検出レポートの送信をキャンセルし、前記第２のリソースで前記第１の検出レポートを送信し、または、
前記第１のアップリンクリソースでの前記第１の検出レポートの送信をキャンセルし、前記第２のリソースで前記第１の検出レポートおよび前記第３の信号を送信することを特徴とする請求項３５から請求項４１のいずれか一項に記載のビーム検出の装置。
【請求項４３】
前記受信モジュールはさらに、ネットワークデバイスによって送信されたビーム品質監視信号を受信する前、ネットワークデバイスによって送信された構成情報を受信し、前記構成情報は、指示された構成パラメータに従って前記ビーム品質監視信号を受信するように、ユーザ機器に指示することを特徴とする請求項３５から請求項４２のいずれか一項に記載のビーム検出の装置。
【請求項４４】
Ｍ個のビームを使用してビーム品質監視信号を送信するように構成された送信モジュールと、
ユーザ機器により送信された第１の検出レポートを受信するように構成された受信モジュールとを備え、
前記ビーム品質監視信号は、ビーム品質を監視するために使用される信号であり、Ｍは正の整数であり、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含むことを特徴とするビーム検出の装置。
【請求項４５】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
前記装置は、
前記受信モジュールが前記第１の検出レポートを受信した後、第１のビームから少なくとも１つのビーム品質インデックスが第１のしきい値を満たさないビームを削除するように構成された処理モジュールとを備えることを特徴とする請求項４４に記載のビーム検出の装置。
【請求項４６】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記装置は、
前記受信モジュールが前記第１の検出レポートを受信した後、少なくとも１つのビーム品質インデックスが第２のしきい値を満たす第２のビームを第１のビームに追加するように構成された処理モジュールとを備えることを特徴とする請求項４４に記載のビーム検出の装置。
【請求項４７】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、および、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記装置は、
前記受信モジュールが前記第１の検出レポートを受信した後、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加するように構成された処理モジュールを備えることを特徴とする請求項４４に記載のビーム検出の装置。
【請求項４８】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
前記受信モジュールはさらに、ユーザ機器により送信された第２の検出レポートを受信し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記装置は、
前記受信モジュールが前記第１の検出レポートを受信した後、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加するように構成された処理モジュールを備えることを特徴とする請求項４４に記載のビーム検出の装置。
【請求項４９】
前記Ｍ個のビームは、前記ユーザ機器との通信に利用可能であると決定された第１のビームであり、Ｍ個の第１のビームを通じて送信されるビーム品質監視信号は、第１のビーム品質監視信号であり、前記第１の検出レポートは、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含み、
前記送信モジュールはさらに、前記受信モジュールが前記第１の検出レポートを受信した後、Ｎ個の第２のビームを使用してユーザ機器に第２のビーム品質監視信号を送信し、前記第２のビームは、前記ユーザ機器との通信に使用されると決定されなかったビームであり、Ｎは正の整数であり、
前記受信モジュールはさらに、ユーザ機器によって報告された第２の検出レポートを受信し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、
前記装置は、
前記受信モジュールが前記第１の検出レポートおよび及前記第２の検出レポートを受信した後、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加するように構成された処理モジュールをさらに備えることを特徴とする請求項４４に記載のビーム検出の装置。
【請求項５０】
前記送信モジュールはさらに、ユーザ機器にビーム品質監視信号を送信する前に、ユーザ機器に構成情報を送信し、前記構成情報は、指示された構成パラメータに従って前記ビーム品質監視信号を受信するように、ユーザ機器に指示することを特徴とする請求項４４から請求項４９のいずれか一項に記載のビーム検出の装置。
【請求項５１】
前記受信モジュールは、
前記第１の検出レポートを送信するための第１のアップリンクリソースでのユーザ機器による前記第１の検出レポートの送信が、第２のアップリンクリソースでのネットワークデバイスへの第３の信号の送信と衝突するとき、
前記第２のアップリンクリソースで送信された第３の信号の受信をキャンセルし、前記第１のリソースで送信された前記第１の検出レポートを受信し、または、
前記第２のアップリンクリソースで送信された第３の信号の受信をキャンセルし、前記第１のリソースで送信された前記第１の検出レポートおよび前記第３の信号を受信し、または、
前記第１のアップリンクリソースで送信された前記第１の検出レポートの受信をキャンセルし、前記第２のリソースで送信された前記第１の検出レポートを受信し、または、
前記第１のアップリンクリソースで送信された前記第１の検出レポートの受信をキャンセルし、前記第２のリソースで送信された前記第１の検出レポートおよび前記第３の信号を受信することを特徴とする請求項４４から請求項５０のいずれか一項に記載のビーム検出の装置。
【請求項５２】
コンピュータ命令を格納するように構成されたメモリと、
ネットワークデバイスと通信するように構成された通信インターフェースと、
前記メモリおよび前記通信インターフェースにそれぞれ通信可能に接続され、前記コンピュータ命令を実行するときに前記コンピュータ命令を実行して請求項１から請求項２４のいずれか一項に記載の方法を実行するように構成されたプロセッサとを備えることを特徴とするユーザ機器。
【請求項５３】
コンピュータ命令を格納するように構成されたメモリと、
ユーザ機器と通信するように構成された通信インターフェースと、
前記メモリおよび前記通信インターフェースにそれぞれ通信可能に接続され、前記コンピュータ命令を実行するときに前記コンピュータ命令を実行して請求項２５から請求項３４のいずれか一項に記載の方法を実行するように構成されたプロセッサとを備えることを特徴とするネットワークデバイス。
【発明の詳細な説明】
【技術分野】
【０００１】
関連出願の相互参照
本出願は、２０１７年１１月３日に中国特許局に提出し、出願番号が２０１７１１０７１５２４.Ｘであり、発明名称が「ビーム検出の方法および装置」との中国特許出願を基礎とする優先権を主張し、その開示の総てをここに取り込む。
【０００２】
本発明は、通信技術分野に関し、特にビーム検出の方法および装置に関する。
【背景技術】
【０００３】
ビームフォーミング技術は、マルチアンテナ伝送技術であり、各アンテナユニットの重み係数を調整することにより、ビームの幅とビームの方向を柔軟に調整し、特定の方向の無線信号伝送を実現することができる。
【０００４】
ネットワークデバイスは、マルチアンテナアレイの空間ダイバーシティ利得を得るために、物理ダウンリンク制御チャネル（ｐｈｙｓｉｃａｌ ｄｏｗｎｌｉｎｋ ｃｏｎｔｒｏｌ ｃｈａｎｎｅｌ，ＰＤＣＣＨ）上でビームフォーミングを実行することができる。ＰＤＣＣＨ上でビームフォーミングを実行するための１つの可能な方法は、ＰＤＣＣＨ送信に利用可能な時間／周波数リソースを複数のコンポーネントに分割することであり、各コンポーネントは制御リソース集合（ｃｏｎｔｒｏｌ ｒｅｓｏｕｒｃｅ ｓｅｔ，ＣＯＲＥＳＥＴ）と呼ばれる。ネットワークデバイスは、任意のＣＯＲＥＳＥＴ上のダウンリンクビームを通じてダウンリンク制御情報（ｄｏｗｎｌｉｎｋ ｃｏｎｔｒｏｌ ｉｎｆｏｒｍａｔｉｏｎ，ＤＣＩ）を運ぶＰＤＣＣＨ信号を送信することができ、異なるＣＯＲＥＳＥＴ上で使用されるダウンリンクビームは異なる。ユーザ機器は、すべてのＣＯＲＥＳＥＴでＰＤＣＣＨ信号をブラインド検出する場合がある。ユーザ機器が１つのＣＯＲＥＳＥＴ上でＰＤＣＣＨを正しく復号する場合、ユーザ機器は、このＰＤＣＣＨ上のＤＣＩ情報を取得するかもしれない。１つのＣＯＲＥＳＥＴまたはＣＯＲＥＳＥＴのグループのチャネル品質が悪い場合、前記ＣＯＲＥＳＥＴで送信されたＰＤＣＣＨはユーザ機器によって正しく復号されないが、ユーザ機器は他の良い信号品質のＣＯＲＥＳＥＴで送信されたＰＤＣＣＨを十分に正しく復号できる。
【０００５】
高周波（例えば、ミリ波周波数帯域）通信が使用される場合、より強い経路損失および周波数遮断は、ダウンリンクビームを通じてネットワークデバイスによって送信されるＰＤＣＣＨ信号の品質を低下させる可能性があり、その結果、これらのダウンリンクビームを通じて送信されるＰＤＣＣＨ信号は、ユーザ機器で検出できないか、ユーザ機器で正しく解析できない。
【０００６】
従来技術では、ネットワークデバイスは、ダウンリンクビームを通じてビーム品質監視信号をユーザ機器に送信することができ、ユーザ機器は、ビーム品質監視信号を検出し、当該検出されたビーム品質監視信号の品質に従ってダウンリンクビームの通信品質を評価する。各ダウンリンクビームの通信品質がしきい値よりも低いと判断した場合、ユーザ機器は、すべてのダウンリンクビームがネットワークデバイスで使用できないことを示す検出レポートを報告する。
【０００７】
しかしながら、ダウンリンクビームの通信品質を検出する上記の方法は、ネットワークデバイスに提供する情報が少なく、ネットワークデバイスが検出レポートに従ってユーザ機器との通信を改善することは困難である。
【発明の概要】
【発明が解決しようとする課題】
【０００８】
本発明は、従来技術におけるダウンリンクビームの通信品質の良好な検出の欠如の問題を解決するため、ビーム検出の方法および装置を提供する。
【課題を解決するための手段】
【０００９】
第１の態様では、本発明に係るビーム検出の方法は、ユーザ機器は、Ｍ個のビームを使用してネットワークデバイスによって送信されたビーム品質監視信号を受信するステップであって、前記ビーム品質監視信号は、ビーム品質を監視するために使用される信号であり、Ｍは正の整数である前記受信するステップと、
ユーザ機器は、前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定するステップであって、ユーザ機器は、第１の検出レポートを生成し、前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む前記決定するステップと、
前記ユーザ機器は、ネットワークデバイスに前記第１の検出レポートを送信するステップとを備える。
【００１０】
第１の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含む。
【００１１】
第１の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【００１２】
第１の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、および、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックス。
【００１３】
第１の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、前記ユーザ機器がＭ個のビームのビーム品質パラメータを決定した後、さらに、ユーザ機器は、第２の検出レポートを生成し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、前記ユーザ機器は、ネットワークデバイスに前記第２の検出レポートを送信する。
【００１４】
第１の態様のいくつかのオプションの実施では、前記Ｍ個のビームは、前記ユーザ機器との通信に利用可能であると決定された第１のビームであり、Ｍ個の第１のビームを通じて送信されるビーム品質監視信号は、第１のビーム品質監視信号であり、前記第１の検出レポートは、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含む。
【００１５】
第１の態様のいくつかのオプションの実施では、前記ユーザ機器が、ネットワークデバイスに前記第１の検出レポートを送信した後、さらに、ユーザ機器は、Ｎ個の第２のビームを使用してネットワークデバイスによって送信された第２のビーム品質監視信号を受信し、前記第２のビームは、前記ユーザ機器との通信に使用されると決定されなかったビームであり、Ｎは正の整数であり、ユーザ機器は、前記Ｎ個の第２のビーム品質監視信号の信号品質インデックスを決定し、前記Ｎ個のビーム品質監視信号のそれぞれの第２のビーム品質監視信号の信号品質インデックスに基づいて、前記第２のビーム品質監視信号の送信に使用される第２のビームのビーム品質インデックスを決定し、ユーザ機器は、第２の検出レポートを生成し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、ユーザ機器は、ネットワークデバイスに前記第２の検出レポートを送信する。
【００１６】
第１の態様のいくつかのオプションの実施では、前記第１の検出レポートは、具体的に、第１のビーム中のビーム品質インデックスが第１のしきい値を満たさないすべてのＬ１個のビームの表示情報、および／または、前記Ｌ１個のビーム中のビーム品質インデックスが最良または最悪のＫ１個のビームのビーム品質インデックスを含み、前記Ｋ１は１であり、または、Ｋは、Ｌ１およびＨのうちの小さい方であり、Ｈは、前記第１の検出レポートを送信するために前記ユーザ機器によって使用されるアップリンクリソースによって運ばれるビーム品質インデックスの最大数である。
【００１７】
第１の態様のいくつかのオプションの実施では、前記第１の検出レポートは、具体的に、第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックスを含む。
【００１８】
第１の態様のいくつかのオプションの実施では、前記第１の検出レポートは、具体的に、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含み、前記Ｋ３は１であり、または、Ｋ３は、Ｌ２およびＨのうちの小さい方であり、Ｈは、前記第１の検出レポートを送信するために前記ユーザ機器によって使用されるアップリンクリソースによって運ばれるビーム品質インデックスの最大数である。
【００１９】
第１の態様のいくつかのオプションの実施では、前記第１の検出レポートは、具体的に、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含む。
【００２０】
第１の態様のいくつかのオプションの実施では、前記第１の検出レポートは、具体的に、第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックスを含み、および、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含み、前記Ｋ２は、第１のビーム中のビーム品質インデックスが第１のしきい値を満たさないビームの総数より小さいか等しく、Ｋ４は、第２のビーム中のビーム品質インデックスが第２のしきい値を満たすビームの総数より小さいか等しい。
【００２１】
第１の態様のいくつかのオプションの実施では、前記第２の検出レポートは、具体的に、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含み、前記Ｋ３は１であり、または、Ｋ３は、Ｌ２およびＨのうちの小さい方であり、Ｈは、前記第１の検出レポートを送信するために前記ユーザ機器によって使用されるアップリンクリソースによって運ばれるビーム品質インデックスの最大数である。
【００２２】
第１の態様のいくつかのオプションの実施では、前記第２の検出レポートは、具体的に、のビーム品質インデックスが最良または最悪のＫ４個のビームの表示情報、および／または、前記Ｋ４個のビーム中の少なくとも１つのビームのビーム品質インデックスを含む。
【００２３】
第１の態様のいくつかのオプションの実施では、ユーザ機器がビームのビーム品質インデックスを決定することは、前記ビームを通じて送信されたビーム品質監視信号の信号品質インデックスを、ビームのビーム品質インデックスとし、または、前記ビームを通じて送信されたビーム品質監視信号の信号品質インデックスに基づいて、前記ビームに対応するリソース集合の仮想通信品質インデックスを決定し、前記ビームに対応するリソース集合の仮想通信品質インデックスをビームのビーム品質インデックスとし、または、前記ビームを通じて送信されたビーム品質監視信号の信号品質インデックスに基づいて、前記ビームに対応するダウンリンクチャネルの仮想通信品質インデックスを決定し、前記ビームに対応するダウンリンクチャネルの仮想通信品質インデックスを、ビームのビーム品質インデックスとし、または、前記ビームを通じて送信されたビーム品質監視信号の信号品質インデックスに基づいて、前記ビームに対応するサーチスペースの仮想通信品質インデックスを決定し、前記ビームに対応するサーチスペースの仮想通信品質インデックスをビームのビーム品質インデックスとする。
【００２４】
第１の態様のいくつかのオプションの実施では、前記第１の検出レポートが少なくとも２つの第１のビームの表示情報を含む場合、前記少なくとも２つの第１のビームの表示情報はビームのビーム品質インデックスに従って順序付けされ、および／または、前記第１の検出レポートが少なくとも２つの第１のビームのビーム品質インデックスを含む場合、少なくとも２つの第１のビームのビーム品質インデックスは、ビームのビーム品質インデックスに従って順序付けされる。
【００２５】
第１の態様のいくつかのオプションの実施では、前記第１の検出レポートが少なくとも２つの第２のビームの表示情報を含む場合、前記少なくとも２つの第２のビームの表示情報はビームのビーム品質インデックスに従って順序付けされ、および／または、前記第１の検出レポートが少なくとも２つの第２のビームのビーム品質インデックスを含む場合、少なくとも２つの第２のビームのビーム品質インデックスは、ビームのビーム品質インデックスに従って順序付けされる。
【００２６】
第１の態様のいくつかのオプションの実施では、前記第１の検出レポートは、パディングビット、または、予約ビットをさらに含む。
【００２７】
第１の態様のいくつかのオプションの実施では、前記パディングビットは、第１のしきい値を満たすビーム中のビーム品質インデックスが最悪のＫ５個のビームのビーム品質インデックス、および／または、第２のしきい値を満たさないビーム中のビーム品質インデックスが最良のＫ６個のビームのビーム品質インデックスを含む。
【００２８】
第１の態様のいくつかのオプションの実施では、前記第１の検出レポートは、前記第１の検出レポートに含まれるビーム品質インデックスが第１のしきい値を満たさないビームの表示情報の量を示す表示情報、および／または、前記第１の検出レポートに含まれるビーム品質インデックスが第１のしきい値を満たさないビームのビーム品質インデックスの量を示す表示情報、および／または、前記第１の検出レポートに含まれるビーム品質インデックスが第２のしきい値を満たすビームの表示情報の量を示す表示情報、および／または、前記第１の検出レポートに含まれるビーム品質インデックスが第２のしきい値を満たすビームのビーム品質インデックスの量を示す表示情報、および／または、前記第１の検出レポートに含まれるビーム品質インデックスが第１のしきい値を満たさないビームの表示情報の位置を示す表示情報、および／または、前記第１の検出レポートに含まれるビーム品質インデックスが第１のしきい値を満たさないビームのビーム品質インデックス位置を示す表示情報、および／または、前記第１の検出レポートに含まれるビーム品質インデックスが第２のしきい値を満たすビームの表示情報の位置を示す表示情報、および／または、前記第１の検出レポートに含まれるビーム品質インデックスが第２のしきい値を満たすビームのビーム品質インデックス位置を示す表示情報、および／または、第１の検出レポートのタイプを示す情報を含み、前記第１の検出レポートのタイプは、第１のしきい値を満たさないビームの検出レポートと、第２のしきい値を満たすビームの検出レポートと、第１のしきい値を満たさないビームの検出レポートと、第２のしきい値を満たすビームの検出レポートとを含み、および／または、前記第１の検出レポートに含まれることを許可されたビーム表示情報の最大量の情報、および／または、前記第１の検出レポートに含まれることを許可されたビーム品質インデックスの最大量を示す情報を含む。
【００２９】
第１の態様のいくつかのオプションの実施では、前記第１の検出レポートに含まれるビーム品質インデックスが第１のしきい値を満たさないビームの表示情報の量は、ネットワークデバイスと合意した第１の量であり、および／または、前記第１の検出レポートに含まれるビーム品質インデックスが第１のしきい値を満たさないビームのビーム品質インデックスの量は、ネットワークデバイスと合意した第２の量であり、および／または、前記第１の検出レポートに含まれるビーム品質インデックスが第２のしきい値を満たすビームの表示情報の量は、ネットワークデバイスと合意した第３の量であり、および／または、前記第１の検出レポートに含まれるビーム品質インデックスが第２のしきい値を満たすビームのビーム品質インデックスの量は、ネットワークデバイスと合意した第４の量である。
【００３０】
第１の態様のいくつかのオプションの実施では、前記ユーザ機器がネットワークデバイスに第１の検出レポートを送信することは、前記第１の検出レポートを送信するための第１のアップリンクリソースでのユーザ機器による前記第１の検出レポートの送信が、第２のアップリンクリソースでのネットワークデバイスへの第３の信号の送信と衝突するとき、前記ユーザ機器は、前記第２のアップリンクリソースでの第３の信号の送信をキャンセルし、前記第１のリソースで前記第１の検出レポートを送信し、または、前記ユーザ機器は、前記第２のアップリンクリソースでの第３の信号の送信をキャンセルし、前記第１のリソースで前記第１の検出レポートおよび前記第３の信号を送信し、または、前記ユーザ機器は、前記第１のアップリンクリソースでの前記第１の検出レポートの送信をキャンセルし、前記第２のリソースで前記第１の検出レポートを送信し、または、前記ユーザ機器は、前記第１のアップリンクリソースでの前記第１の検出レポートの送信をキャンセルし、前記第２のリソースで前記第１の検出レポートおよび前記第３の信号を送信する。
【００３１】
第１の態様のいくつかのオプションの実施では、ユーザ機器は、ネットワークデバイスによって送信されたビーム品質監視信号を受信する前、ネットワークデバイスによって送信された構成情報を受信し、前記構成情報は、指示された構成パラメータに従って前記ビーム品質監視信号を受信するように、ユーザ機器に指示する。
【００３２】
第１の態様のいくつかのオプションの実施では、ユーザ機器は、第１の検出レポートを生成する前、ネットワークデバイスによって送信された第２の構成情報を受信し、前記第２の構成情報は、前記第１の検出レポートに含まれるビーム品質インデックスが第１のしきい値を満たさないビームの表示情報の量を示す表示情報、および／または、前記第１の検出レポートに含まれるビーム品質インデックスが第１のしきい値を満たさないビームのビーム品質インデックスの量を示す表示情報、および／または、前記第１の検出レポートに含まれるビーム品質インデックスが第２のしきい値を満たすビームの表示情報の量を示す表示情報、および／または、前記第１の検出レポートに含まれるビーム品質インデックスが第２のしきい値を満たすビームのビーム品質インデックスの量を示す表示情報、および／または、前記第１の検出レポートに含まれるビーム品質インデックスが第１のしきい値を満たさないビームの表示情報の位置を示す表示情報、および／または、前記第１の検出レポートに含まれるビーム品質インデックスが第１のしきい値を満たさないビームのビーム品質インデックス位置を示す表示情報、および／または、前記第１の検出レポートに含まれるビーム品質インデックスが第２のしきい値を満たすビームの表示情報の位置を示す表示情報、および／または、前記第１の検出レポートに含まれるビーム品質インデックスが第２のしきい値を満たすビームのビーム品質インデックス位置を示す表示情報、および／または、第１の検出レポートのタイプを示す情報を含み、前記第１の検出レポートのタイプは、第１のしきい値を満たさないビームの検出レポートと、第２のしきい値を満たすビームの検出レポートと、第１のしきい値を満たさないビームの検出レポートと、第２のしきい値を満たすビームの検出レポートとを含み、および／または、前記第１の検出レポートに含まれることを許可されたビーム表示情報の最大量の情報、および／または、前記第１の検出レポートに含まれることを許可されたビーム品質インデックスの最大量を示す情報を含む。
【００３３】
第２の態様では、本発明に係るビーム検出の方法は、ネットワークデバイスは、Ｍ個のビームを使用してビーム品質監視信号を送信するステップと、ネットワークデバイスは、ユーザ機器により送信された第１の検出レポートを受信するステップとを備え、前記ビーム品質監視信号は、ビーム品質を監視するために使用される信号であり、Ｍは正の整数であり、前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む。
【００３４】
第２の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、前記ネットワークデバイスが前記第１の検出レポートを受信した後、前記ネットワークデバイスは、第１のビームから少なくとも１つのビーム品質インデックスが第１のしきい値を満たさないビームを削除する。
【００３５】
第２の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、前記ネットワークデバイスが前記第１の検出レポートを受信した後、前記ネットワークデバイスは、少なくとも１つのビーム品質インデックスが第２のしきい値を満たす第２のビームを第１のビームに追加する。
【００３６】
第２の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、および、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、前記ネットワークデバイスが前記第１の検出レポートを受信した後、前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加する。
【００３７】
第２の態様のいくつかのオプションの実施では、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、ネットワークデバイスは、ユーザ機器により送信された第２の検出レポートを受信し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加する。
【００３８】
第２の態様のいくつかのオプションの実施では、前記Ｍ個のビームは、前記ユーザ機器との通信に利用可能であると決定された第１のビームであり、Ｍ個の第１のビームを通じて送信されるビーム品質監視信号は、第１のビーム品質監視信号であり、前記第１の検出レポートは、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含み、前記ネットワークデバイスが前記第１の検出レポートを受信した後、ネットワークデバイスは、Ｎ個の第２のビームを使用してユーザ機器に第２のビーム品質監視信号を送信し、前記第２のビームは、前記ユーザ機器との通信に使用されると決定されなかったビームであり、Ｎは正の整数であり、ネットワークデバイスは、ユーザ機器によって報告された第２の検出レポートを受信し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加する。
【００３９】
第２の態様のいくつかのオプションの実施では、ネットワークデバイスユーザ機器にビーム品質監視信号を送信する前に、ユーザ機器に構成情報を送信し、前記構成情報は、指示された構成パラメータに従って前記ビーム品質監視信号を受信するように、ユーザ機器に指示する。
【００４０】
第２の態様のいくつかのオプションの実施では、ネットワークデバイスは、第１の検出レポートを生成する前、ユーザ機器に第２の構成情報を送信し、前記第２の構成情報は、ユーザ機器によって報告された第１の検出レポートのタイプを示す表示情報、および／または、前記第１の検出レポートに含まれるビーム品質インデックスが第１のしきい値を満たさないビームの表示情報の量を示す表示情報、および／または、前記第１の検出レポートに含まれるビーム品質インデックスが第１のしきい値を満たさないビームのビーム品質インデックスの量を示す表示情報、および／または、前記第１の検出レポートに含まれるビーム品質インデックスが第２のしきい値を満たすビームの表示情報の量を示す表示情報、および／または、前記第１の検出レポートに含まれるビーム品質インデックスが第２のしきい値を満たすビームのビーム品質インデックスの量を示す表示情報、および／または、前記第１の検出レポートに含まれるビーム品質インデックスが第１のしきい値を満たさないビームの表示情報の位置を示す表示情報、および／または、前記第１の検出レポートに含まれるビーム品質インデックスが第１のしきい値を満たさないビームのビーム品質インデックス位置を示す表示情報、および／または、前記第１の検出レポートに含まれるビーム品質インデックスが第２のしきい値を満たすビームの表示情報の位置を示す表示情報、および／または、前記第１の検出レポートに含まれるビーム品質インデックスが第２のしきい値を満たすビームのビーム品質インデックス位置を示す表示情報、および／または、前記第１の検出レポートに含まれることを許可されたビーム表示情報の最大量の情報、および／または、前記第１の検出レポートに含まれることを許可されたビーム品質インデックスの最大量を示す情報を含む。
【００４１】
第２の態様のいくつかのオプションの実施では、前記ネットワークデバイスが、ユーザ機器により送信された第１の検出レポートを受信することは、前記第１の検出レポートを送信するための第１のアップリンクリソースでのユーザ機器による前記第１の検出レポートの送信が、第２のアップリンクリソースでのネットワークデバイスへの第３の信号の送信と衝突するとき、前記ネットワークデバイスは、前記第２のアップリンクリソースで送信された第３の信号の受信をキャンセルし、前記第１のリソースで送信された前記第１の検出レポートを受信し、または、前記ネットワークデバイスは、前記第２のアップリンクリソースで送信された第３の信号の受信をキャンセルし、前記第１のリソースで送信された前記第１の検出レポートおよび前記第３の信号を受信し、または、前記ネットワークデバイスは、前記第１のアップリンクリソースで送信された前記第１の検出レポートの受信をキャンセルし、前記第２のリソースで送信された前記第１の検出レポートを受信し、または、前記ネットワークデバイスは、前記第１のアップリンクリソースで送信された前記第１の検出レポートの受信をキャンセルし、前記第２のリソースで送信された前記第１の検出レポートおよび前記第３の信号を受信する。
【００４２】
第２の態様のいくつかのオプションの実施では、ネットワークデバイスは、ユーザ機器により送信された第１の検出レポートを受信した後、ブラインド検出規則に従って前記第１の検出レポートをブラインド検出する。
【００４３】
第３の態様では、本発明は、ビーム検出の装置を提供する。前記装置は、上記第１の態様、または、第１の態様の任意の実現可能の方法を実行するように構成される。具体的に、当該装置は、上記第１の態様、または、第１の態様の任意の実現可能の方法を実行するモジュールを備える。
【００４４】
オプションとして、前記装置は、Ｍ個のビームを使用してネットワークデバイスによって送信されたビーム品質監視信号を受信するように構成された受信モジュールと、前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定し、第１の検出レポートを生成するように構成された処理モジュールと、ネットワークデバイスに前記第１の検出レポートを送信する送信モジュールとを備え、前記ビーム品質監視信号は、ビーム品質を監視するために使用される信号であり、Ｍは正の整数であり、前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む。
【００４５】
第４の態様では、本発明は、ビーム検出の装置を提供する。前記装置は、上記第２の態様、または、第２の態様の任意の実現可能の方法を実行するように構成される。具体的に、当該装置は、上記第１の態様、または、第２の態様の任意の実現可能の方法を実行するモジュールを備える。
【００４６】
オプションとして、前記装置は、Ｍ個のビームを使用してビーム品質監視信号を送信するように構成された送信モジュールと、ユーザ機器により送信された第１の検出レポートを受信するように構成された受信モジュールと、前記ビーム品質監視信号は、ビーム品質を監視するために使用される信号であり、Ｍは正の整数であり、前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む。
【００４７】
第５の態様では、本発明は、第１の態様または上記の第１の態様の任意の可能な実施における方法を実行するように構成されたユーザ機器を提供する。具体的には、当該ユーザ機器は、第１の態様または上記の第１の態様の任意の可能な実施における方法を実行するためのモジュールを備える。
【００４８】
オプションとして、前記ユーザ機器は、コンピュータ命令を格納するように構成されたメモリと、ネットワークデバイスと通信するように構成された通信インターフェースと、前記メモリおよび前記通信インターフェースにそれぞれ通信可能に接続され、前記コンピュータ命令を実行するときに、上記第１の態様または上記の第１の態様の任意の可能な実施における方法を実行するように構成されたプロセッサとを備える。
【００４９】
第６の態様では、本発明は、第２の態様または上記の第２の態様の任意の可能な実施にける方法を実行するように構成されたネットワークデバイスを提供する。具体的には、当該ネットワークデバイスは、第２の態様または上記の第２の態様の任意の可能な実施における方法を実行するためのモジュールを備える。
【００５０】
オプションとして、前記ネットワークデバイスは、メモリ，コンピュータ命令を格納するように構成されたメモリと、通信インターフェース，ユーザ機器と通信するように構成された通信インターフェースと、前記メモリおよび前記通信インターフェースにそれぞれ通信可能に接続され、前記コンピュータ命令を実行するときに前記コンピュータ命令を実行して、第２の態様または上記の第２の態様の任意の可能な実施における方法を実行するように構成されたプロセッサとを備える。
【００５１】
第７の態様では、本発明は、コンピュータ命令を格納するコンピュータ可読記憶媒体を提供し、前記コンピュータ命令は、コンピュータで実行するとき、第１または第２の態様または第１または第２の可能な実施における方法をコンピュータに実行させる。
【００５２】
第８の態様では、本発明は、コンピュータ上で実行するときに、コンピュータに第１または第２の態様または第１または第２の態様の任意の可能な実施における方法を実行させるコンピュータプログラム製品を提供する。
【発明の効果】
【００５３】
本願の実施形態において提供される１つ以上の技術的解決策は、少なくとも以下の技術的効果または利点を有する。
【００５４】
ユーザ機器は、様々な情報、例えば、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスなどをネットワークデバイスに報告することができる。ネットワークデバイスは、上記の１つまたは複数の種類の情報に基づいて、ユーザ機器と通信するときに使用できるビームを決定することができる。ユーザー機器が、すべてのダウンリンクビームが要件を満たさない場合にのみネットワークデバイスがダウンリンクビームを使用できないことを示すレポートを報告する従来技術と比較すると、ネットワークデバイスとユーザー機器との通信の品質を向上させる能力が改善される。
【図面の簡単な説明】
【００５５】
本発明に係る実施例や従来の技術解決策をより明確に説明するために、以下に実施例を説明するために必要な図面について簡単に紹介する。無論、以下の説明における図面は本発明に係る実施例の一部であり、当業者は、創造性作業を行わないことを前提として、これらの図面に基づいて他の図面を得ることができる。
【００５６】
【図１】本発明の実施形態による通信システムの概略図である。
【図２】本発明の実施形態に係るビーム検出の方法のフロー概略図である。
【図３】本発明の実施形態に係るビーム検出の方法の別のフロー概略図である。
【図４】本発明の実施形態に係るビーム検出の装置５００の概略図である。
【図５】本発明の実施形態に係るビーム検出の装置６００の概略図である。
【図６】本発明の実施形態に係るユーザ機器７００の概略図である。
【発明を実施するための形態】
【００５７】
本発明の目的、技術的解決法、および利点をより明確にするために、本発明は、添付の図面を参照して以下でさらに詳細に説明される。
【００５８】
本発明は、従来技術におけるダウンリンクビームの通信品質の良好な検出の欠如の問題を解決するため、ビーム検出の方法および装置を提供する。ここで、方法および装置は、同じ発明概念に基づいている。方法の問題を解決する原理は装置の原理と類似しているので、方法と装置の実施は互いに参照することができ、それらの繰り返しの説明は省略される。
【００５９】
本発明において「複数」とは、２つ以上を意味する。さらに、本発明の説明における「第１」または「第２」などの単語は、説明を区別する目的のためだけであり、相対的な重要性を示すまたは示唆するように解釈され得ず、順序を示すまたは示唆するように解釈され得ない。
【００６０】
本発明における「および／または」という用語は、関連する対称を説明する単なる関連関係であり、３つの関係があり得ることを示し、例えば、Ａおよび／またはＢは、Ａのみ、Ｂのみ、ＡおよびＢの両方を表すことができる。さらに、ここでの「/」という文字は、一般に、関連付けられた対象が一種の「または」関係を持つことを表す。
【００６１】
本発明の実施形態によって提供される技術的解決策は、第５世代（５ｔｈ−Ｇｅｎｅｒａｔｉｏｎ ｍｏｂｉｌｅ ｃｏｍｍｕｎｉｃａｔｉｏｎ，５Ｇ）モバイル通信システムに適用可能であり得、他の無線通信システム、例えば、ロングタームエボリューション（Ｌｏｎｇ Ｔｅｒｍ Ｅｖｏｌｕｔｉｏｎ，ＬＴＥ）システム、モバイル通信用グローバルシステム（Ｇｌｏｂａｌ Ｓｙｓｔｅｍ ｆｏｒ Ｍｏｂｉｌｅ Ｃｏｍｍｕｎｉｃａｔｉｏｎ，ＧＳＭ）、ユニバーサルモバイルテレコミュニケーションシステム（Ｕｎｉｖｅｒｓａｌ Ｍｏｂｉｌｅ Ｔｅｌｅｃｏｍｍｕｎｉｃａｔｉｏｎｓ Ｓｙｓｔｅｍ，ＵＭＴＳ）、コード分割多重アクセス（Ｃｏｄｅ Ｄｉｖｉｓｉｏｎ Ｍｕｌｔｉｐｌｅ Ａｃｃｅｓｓ，ＣＤＭＡ）システム、新しいネットワークデバイスシステムなどにも適用可能であり得る。
【００６２】
本発明におけるネットワークデバイスは、５Ｇ通信におけるｇＮｏｄｅ Ｂ（ｇＮＢ）における基地局であり得るか、またはＬＴＥにおける進化型Ｎｏｄｅ Ｂ（ｅｖｏｌｕｔｉｏｎａｌ Ｎｏｄｅ Ｂ，ｅＮＢまたは、ｅ−ＮｏｄｅＢ）であり得るか、または、ＧＳＭまたはＣＤＭＡの基地局（ｂａｓｅ Ｔｒａｎｓｃｅｉｖｅｒ Ｓｔａｔｉｏｎ，ＢＴＳ）であるか、広帯域ＣＤＭＡ（Ｗｉｄｅｂａｎｄ ＣＤＭＡ，ＷＣＤＭＡ（登録商標））の基地局（ＮｏｄｅＢ）である可能性がある。以下、本発明の実施形態について、基地局を例に説明する。
【００６３】
ユーザ機器は、音声および／またはデータ接続をユーザに提供するためのデバイス、ワイヤレス接続機能を備えたハンドヘルドデバイス、またはワイヤレスモデムに接続された他の処理デバイスを指し得る。無線ユーザー機器は、無線アクセスネットワーク（ｒａｄｉｏ Ａｃｃｅｓｓ Ｎｅｔｗｏｒｋ，ＲＡＮ）を介して１つ以上のコアネットワークと通信できる。無線ユーザー機器は、携帯電話（または「セルラー」電話と呼ばれる）などの携帯端末、および携帯端末を有するコンピュータであることができる無線ユーザー機器は、例えば、携帯型、ポケット型、ハンドヘルド型、コンピュータ内蔵型、または車両搭載型携帯機器であり得、それらは、無線アクセスネットワークと音声および／またはデータを交換する。たとえば、パーソナルコミュニケーションサービス（Ｐｅｒｓｏｎａｌ Ｃｏｍｍｕｎｉｃａｔｉｏｎ Ｓｅｒｖｉｃｅ，ＰＣＳ）電話、コードレス電話、セッション開始プロトコル（ＳＩＰ）電話、ワイヤレスローカルループ（Ｗｉｒｅｌｅｓｓ Ｌｏｃａｌ Ｌｏｏｐ，ＷＬＬ）ステーション、パーソナルデジタルアシスタント（Ｐｅｒｓｏｎａｌ Ｄｉｇｉｔａｌ Ａｓｓｉｓｔａｎｔ，ＰＤＡ）、およびその他のデバイス。無線ユーザー機器は、システム、サブスクライバーユニット（Ｓｕｂｓｃｒｉｂｅｒ Ｕｎｉｔ）、サブスクライバーステーション（Ｓｕｂｓｃｒｉｂｅｒ Ｓｔａｔｉｏｎ）、モバイルステーション（Ｍｏｂｉｌｅ Ｓｔａｔｉｏｎ）、モバイル、リモートステーション、アクセスポイント、リモート端末（Ｒｅｍｏｔｅ Ｔｅｒｍｉｎａｌ）、アクセス端末、ユーザーターミナル（Ａｃｃｅｓｓ Ｔｅｒｍｉｎａｌ）、ユーザーエージェント（Ｕｓｅｒ Ａｇｅｎｔ）、ユーザー機器（Ｕｓｅｒ Ｅｑｕｉｐｍｅｎｔ，ＵＥ）とも呼ばれる。
【００６４】
本発明の実施形態におけるビーム形成技術によって形成されるビームは、本発明の実施形態に限定されないデジタルビームまたはアナログビームであってもよいことを理解されたい。
【００６５】
本発明の実施形態におけるネットワークデバイスは、ビーム（ダウンリンクビームとも呼ばれる）を通じてデータ信号をユーザ機器に送信してもよく、制御信号をユーザ機器に送信してもよいことを理解されたい。例えば、ネットワークデバイスは、ダウンリンクビームを通じて物理ダウンリンク制御チャネル（ＰＤＣＣＨ）上でダウンリンク制御情報（ＤＣＩ）をユーザ機器に送信する。
【００６６】
簡単に紹介するために、本発明の実施形態は、ネットワークデバイスがダウンリンクビームを通じてＤＣＩをユーザ機器に送信する場合を例として説明されているが、これは、本発明の実施形態に対して制限を構成するものではない。
【００６７】
図１は、本発明の一実施形態による通信システムの概略図である。当該システムは、ネットワークデバイス１００およびユーザ機器２００を備える。ネットワークデバイスは、複数の送信アンテナを含み、ビーフォーミング技術を使用することによって複数のダウンリンクビームを形成し、ダウンリンクビームを通じて制御信号および／またはデータ信号をユーザ機器２００に送信することができる。ユーザ機器２００はまた、検出レポートなどのアップリンク情報をネットワークデバイス１００に送信することができる。ユーザ機器２００はまた、ビームフォーミング技術で形成されたアップリンクビームを使用することによって情報をネットワークデバイスに送信することもできることに留意されたい。本発明の実施形態はこれを限定しない。
【００６８】
本発明の実施形態では、ネットワークデバイスのダウンリンクビームは、「第１のビーム」および「第２のビーム」を含み、いわゆる第１のビームは、前記ユーザ機器との通信に利用可能であると決定されたビームを指す。ネットワークデバイスが信号をユーザ機器に送信する必要がある場合、ネットワークデバイスは、信号を送信するために任意の第１のビームを選択することができる。いわゆる第２のビームは、前記ユーザ機器との通信に使用されると決定されなかったビームを指す。第２のビームは信号をユーザ機器に送信する能力を有するが、ネットワークデバイスは、データまたは信号をユーザ機器に送信するビームとして第２のビームを選択しないことを理解されたい。本発明の実施形態では、ネットワークデバイスは、第２のビームを使用することによってビーム品質監視信号をユーザ機器に送信することができ、その機能は、第２のビームのビーム品質を検出することであり得る。
【００６９】
図２は、本発明の一実施形態による、ビーム通信品質を検出するための方法の概略図である。この方法には次のステップが備えられる。
【００７０】
ステップ３１：ネットワークデバイスは、Ｍが正の整数であるＭ個のダウンリンクビームを使用してビーム品質監視信号を送信する。
【００７１】
ビーム品質監視信号は、ビーム品質を監視するための基準信号であり、例えば、同期信号（ｓｙｎｃｈｒｏｎｉｚａｔｉｏｎ ｓｉｇｎａｌ，ＳＳ）またはチャネル状態情報基準信号（ｃｈａｎｎｅｌ ｓｔａｔｅ ｉｎｆｏｒｍａｔｉｏｎ ｒｅｆｅｒｅｎｃｅ ｓｉｇｎａｌ，ＣＳＩ−ＲＳ）などの様々な方法で実施され得る。各ビーム品質監視信号は、ビーム品質監視信号を他のビーム品質監視信号から区別できる情報である特定の信号識別子を有することができる。例えば、ビーム品質監視信号によって使用されるシーケンスは、信号識別子として使用されてもよく、またはビーム品質監視信号のシーケンスを生成する循環シフトは、信号識別子として使用され、またはビーム品質監視信号のインデックスは、信号識別子として使用される。ユーザ機器は、異なる仮想シーケンスを使用することにより、ビーム品質監視信号を検出することができる。一定の信号品質が満たされた場合、検出されたビーム品質監視信号が存在するとみなされ、その識別子が決定される。ユーザ機器は、異なる仮想循環シフトを使用することにより、ビーム品質監視信号を検出することもできる。一定の信号品質が満たされた場合、検出されたビーム品質監視信号が存在するとみなされ、その識別子が決定される。ビーム品質監視信号の識別子はまた、ユーザ機器のためのネットワークデバイスによって構成され得る。ネットワークデバイスは、構成情報をユーザ機器に送信し、ユーザ機器は、構成情報を受信し、ビーム品質監視信号の識別子を取得する。
【００７２】
ステップ３２：ユーザ機器は、Ｍ個のビーム品質監視信号を受信する。
【００７３】
可能な変形例では、ネットワークデバイスのＭ個のダウンリンクビームの間に通信品質が悪いビームがあり、ユーザ機器はこれらのダウンリンクビームを通じて送信されたビーム品質監視信号を検出できないため、ユーザ機器はＭ個のビーム品質監視信号中のS個のビーム品質監視信号しか受信できない。説明を簡略化するために、そのような変形は、本発明の実施形態の以下の説明では詳細には説明されないが、当業者は、本発明の実施形態の解決策も適用可能であることを理解するはずである。この変形および本発明は、この変形を保護することを意図している。
【００７４】
ステップ３３：ユーザ機器は、前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定する。
【００７５】
ビーム品質監視信号の信号品質インデックスは、様々な方法で実施されてもよく、例えば、信号品質インデックスは、ブロック誤り率（ｂｌｏｃｋ ｅｒｒｏｒ ｒａｔｉｏ，ＢＬＥＲ）、基準信号受信電力（ｒｅｆｅｒｅｎｃｅ ｓｉｇｎａｌ ｒｅｃｅｉｖｉｎｇ ｐｏｗｅｒ，ＲＳＲＰ）、信号雑音比（ｓｉｇｎａｌ−ｎｏｉｓｅ ｒａｔｉｏ，ＳＮＲ）およびチャネル品質インジケーター（ｃｈａｎｎｅｌ ｑｕａｌｉｔｙ ｉｎｄｉｃａｔｏｒ，ＣＱＩ）などのパラメータのうちのいずれか１つにすることができる。信号品質インデックスはまた、上記のパラメータのうちの２つ以上を含み得る。
【００７６】
ビームのビーム品質インデックスは、以下を含むがこれに限定されない様々な方法で実施されてもよい。
【００７７】
（１）ユーザ機器は、前記ビームを通じて送信されたビーム品質監視信号の信号品質インデックスを、ビームのビーム品質インデックスとする。
【００７８】
（２）ユーザ機器は、前記ビームを通じて送信されたビーム品質監視信号の信号品質インデックスに基づいて、前記ビームに対応するリソース集合の仮想通信品質インデックスを決定し、前記ビームに対応するリソース集合の仮想通信品質インデックスをビームのビーム品質インデックスとする。
【００７９】
いわゆるリソース集合は、時間領域リソースと周波数領域リソースの組み合わせを指し、例えば、ＣＯＲＥＳＥＴはリソース集合である。本発明の実施形態では、各ダウンリンクビームは１つまたは複数のリソース集合に対応することがあり、リソース集合の通信品質インデックスの所望の値とリソース集合に対応するビームを通じて送信されたビーム品質監視信号の信号品質インデックスとの間にマッピング関係がある。したがって、ユーザ機器は、ビームを通じて送信されるビーム品質監視信号の信号品質インデックスに従って、ビームに対応するリソース集合の通信品質インデックス（仮想通信品質インデックスとも呼ばれる）の所望の値を決定することができる。上記リソース集合の通信品質インデックスの所望の値とビーム品質監視信号の信号品質インデックスとの間の上記のマッピング関係は、本発明の実施形態では詳細に説明されないが、当業者は、従来技術からの様々な実施を知っているであろう。
【００８０】
前記ビームは、リソース集合に対応し、これは、ビームとリソース集合との間に対応があることを意味する。例えば、対応は、ビームに対応するリソース集合が、信号を送信するためにビームを使用することができるリソース集合であることを意味し得る。
【００８１】
本発明の実施形態では、前記ビームに対応するリソース集合はまた、仮想的なリソース集合、すなわち、存在すると仮定されたビームを使用するリソース集合であってもよい。
【００８２】
（３）ユーザ機器は、前記ビームを通じて送信されたビーム品質監視信号の信号品質インデックスに基づいて、前記ビームに対応するダウンリンクチャネルの仮想通信品質インデックスを決定し、前記ビームに対応するダウンリンクチャネルの仮想通信品質インデックスを、ビームのビーム品質インデックスとする。前記ダウンリンクチャネルは、ＰＤＣＣＨチャネル、またはＰＤＳＣＨ（Ｐｈｙｓｉｃａｌ Ｄｏｗｎｌｉｎｋ Ｓｈａｒｅ Ｃｈａｎｎｅｌ,物理ダウンリンク共有チャネル）、または本明細書で限定されない別のダウンリンクチャネルであり得る。
【００８３】
上記の（３）および（４）の実施は、（２）の実施と同様であるので、（２）の実施の説明を参照されたい。
【００８４】
説明を簡単にするために、本発明の実施形態の以下の内容において、ビーム品質監視信号の信号品質インデックスは、ビームのビーム品質インデックスと見なされる。
【００８５】
ステップ３４：ユーザ機器は、第１の検出レポートを生成し、前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む。
【００８６】
いわゆる第１のしきい値は、ビームの通信品質を測定するためのしきい値であり、第１のしきい値を満たすビームのビーム品質インデックスは、ビームの通信品質が通信要件を満たすことができることを示す。逆に、ビームのビーム品質インデックスが第１のしきい値を満たさない場合、ビームの通信品質が通信要件を満たしていないことを示す。
【００８７】
第１のしきい値の特定の実施は、ビーム品質インデックスに対応し得る。例えば、ビーム品質インデックスがビーム品質監視信号のＢＬＥＲである場合、ビーム品質監視信号のＢＬＥＲがしきい値ａ１以下であれば、ビームのビーム品質インデックスは第1のしきい値を満たす。逆に、ビーム品質監視信号のＢＬＥＲがしきい値ａ１より大きい場合、ビームのビーム品質インデックスは第1のしきい値を満たさない。別の例として、ビーム品質インデックスがビーム品質監視信号のＲＳＲＰである場合、ビーム品質監視信号のＲＳＲＰがしきい値ｂ１以上の場合、ビームのビーム品質インデックスは第1のしきい値を満たす。逆に、ビーム品質監視信号のＲＳＲＰがしきい値ｂ１未満の場合、ビームのビーム品質インデックスは第1しきい値を満たさない。したがって、第1のしきい値を満たすビーム品質インデックスは、ビーム品質インデックスの値が第1のしきい値の値より大きいことを意味するのではなく、ビーム品質インデックスによって表されるビーム通信品質が第1のしきい値で表されるビーム通信品質以上であることを意味する。
【００８８】
当業者は、第２のしきい値の実施が第１のしきい値と同様であり、信号品質に対する第２のしきい値の要件が第１のしきい値以上であり得ることを理解するはずである。第１および第２のしきい値は、異なるタイプのダウンリンクビームの通信品質に対する要件であり得る。例えば、第１のしきい値は第１のビームの通信品質に関する要件であり、第２のしきい値は第２のビームの通信品質に関する要件である。したがって、信号品質インデックスが第１のしきい値を満たさないビームを第１のビームから選択し、信号品質インデックスが第２のしきい値を満足するビームを第２のビームから選択することができる。これは、本発明の実施形態によって限定されない。
【００８９】
ビームの指示情報は、例えば、ビームの識別子またはインデックス、ビームを通じて送信されるビーム品質監視信号の識別子またはインデックス、識別子またはビームのインデックス、ビームのために構成されたリソース集合、ビームのために構成されたダウンリンクチャネルの識別子またはインデックス、ビームのサーチスペースの識別子またはインデックスなど、様々な方法で実施され得る。さらに、ビームの表示情報は暗黙的に実施することもできる。たとえば、最初の検出レポートにはＭビットビットマップが含まれ、Ｍビットビットマップのターゲットビームに対応するビットの値は１であり、残りのビットの値は０である（または逆に、ターゲットビームのビットの値は０であり、残りのビットの値は１である）。別の例として、ビームの表示情報は、物理ランダムアクセスチャネル（ｐｈｙｓｉｃａｌ ｒａｎｄｏｍ ａｃｃｅｓｓ ｃｈａｎｎｅｌ，ＰＲＡＣＨ）の異なるシーケンスまたは異なる循環シフトによって暗黙的に運ばれる。当業者はまた、先行技術に従ってビーム表示情報の他の実施を決定することができる。
【００９０】
ステップ３５：ユーザ機器は、第１の検出レポートをネットワークデバイスに送信する。
【００９１】
ステップ３６：ネットワークデバイスは、第１の検出レポートを受信する。第１の検出レポートを受信した後、ネットワークデバイスは、第１の検出レポートに従って、ユーザ機器と通信するときに使用することができるビームを決定することができる。
【００９２】
上記の技術的解決策では、ユーザ機器は、様々な情報、例えば、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスなどをネットワークデバイスに報告することができる。ネットワークデバイスは、上記の１つまたは複数の種類の情報に基づいて、ユーザ機器と通信するときに使用できるビームを決定することができる。ユーザー機器が、すべてのダウンリンクビームが要件を満たさない場合にのみネットワークデバイスがダウンリンクビームを使用できないことを示すレポートを報告する従来技術と比較すると、ネットワークデバイスとユーザー機器との通信の品質を向上させる能力が改善される。
【００９３】
第１の検出レポートの複数の可能な実施を以下に紹介する。
【００９４】
実施形態１：前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号である。
【００９５】
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含む。
【００９６】
前記第１の検出レポートは、前記Ｍ１個の第１のビームのうちの第１のしきい値を満たさない少なくとも１つのビームの表示情報、および前記Ｍ１個の第１のビーム中の少なくとも１つのビーム品質インデックスが第１のしきい値を満たさないビームのビーム品質インデックスを含む。前記ビーム品質インデックスが第１のしきい値を満たさないビームの表示情報に対応するビームの数は、前記ビーム品質インデックスが第１のしきい値を満たさないビームのビーム品質インデックスの数と同じでも異なってもよい。例えば、第１の検出レポートは、前記Ｍ１個の第１のビーム中のＸ１個のビーム品質インデックスが第１のしきい値を満たさないビームの表示情報、および前記Ｍ１個の第１のビーム中のＸ２個のビーム品質インデックスが第１のしきい値を満たさないビームのビーム品質インデックスを含み、Ｘ１>Ｘ２または、Ｘ１=Ｘ２。
【００９７】
上記の第１の検出レポートについて、ネットワークデバイスは、ネットワークデバイスによって維持される第１のビームから、ビーム品質インデックスが第１の検出レポートの第１のしきい値を満たさない１つまたは複数のビームを削除することができる。これにより、これらのビームを通じて情報をユーザー機器に送信するときに、情報の損失や損傷、またはユーザー機器が情報やその他の悪い結果を受信するのにかかる時間が長くなることを回避できる。
【００９８】
上記の第１の検出レポートについて、ネットワークデバイスは、Ｍ１個の第１のビームから、ビーム品質インデックスが第１の検出レポートの第１のしきい値を満たさない１つまたは複数のビームを削除し、それによって、これらのビームを通じて情報をユーザー機器に送信する際に、ユーザー機器が情報またはその他の悪い結果を受信するのにかかる時間が長くなることを回避できる。
【００９９】
上記の第１の検出レポートについて、ネットワークデバイスは、第１のビームに含まれるビームを一時的に更新せず、特定の条件を満たした後に第１のビームに含まれるビームを更新することができる。例えば、第１のビームに含まれるビームは、ユーザ機器が第１の検出レポートを特定の回数報告した後に更新される。
【０１００】
実施形態２：前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０１０１】
前記第１の検出レポートが、前記Ｍ２個の第２のビーム中の少なくとも１つのビーム品質インデックスが第２のしきい値を満たすビームの表示情報、および前記Ｍ２個の第２のビーム中の少なくとも１つのビーム品質インデックスが第２のしきい値を満たすビームのビーム品質インデックスを含む場合、前記ビーム品質インデックスが第２のしきい値を満たすビームの表示情報に対応するビームの数は、前記ビーム品質インデックスが第２のしきい値を満たすビームのビーム品質インデックスの数と同じでも異なっていてもよい。例えば、第１の検出レポートは、前記Ｍ２個の第２のビーム中のＹ１個のビーム品質インデックスが第２のしきい値を満たすビームの表示情報、および前記Ｍ２個の第２のビーム中のＹ２個のビーム品質インデックスが第２のしきい値を満たすビームのビーム品質インデックスを含み、Ｙ１>Ｙ２または、Ｙ１=Ｙ２。
【０１０２】
上記の第１の検出レポートについて、ネットワークデバイスは、ネットワークデバイスによって維持される第２のビームのうち、ビーム品質インデックスが第１の検出レポートに含まれる第２のしきい値を満たす１つまたは複数のビームを第１のビームに追加することができる。ユーザー機器と通信するときに利用可能なビームを増やし、ネットワーク機器がユーザー機器と通信する機能を強化する。任意選択で、ネットワークデバイスは、第2のビームから、第1の検出レポートに含まれ、第1のビームに追加されたビーム品質インデックスが第２のしきい値を満たす1つまたは複数のビームを削除することができる。
【０１０３】
実施形態３：前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
【０１０４】
前記第１の検出レポートは、
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
および、
前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０１０５】
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスは、第２の実施を参照することができる。
【０１０６】
前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスは、第２の実施を参照することができる。
【０１０７】
上記の第１の検出レポートについて、ネットワークデバイスは、Ｍ１個の第１のビームから、ビーム品質インデックスが第１のしきい値を満たさない少なくとも１つのビームを削除し、それによって情報の損失および損傷またはこれらのビームを通じてユーザー機器に情報を送信するときに、ユーザー機器が情報やその他の悪い結果を受信するのにかかる時間が長くなることを回避できる。および、ネットワークデバイスは、第１のビームに、Ｍ２個の第２のビームのうちのビーム品質インデックスが第２のしきい値を満たす少なくとも１つのビームを追加して、ユーザ機器と通信するときに利用可能なビームを増やし、ネットワークデバイスがユーザー機器と通信する能力を強化することができる。
【０１０８】
実施形態４：前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号である。
【０１０９】
前記第１の検出レポートは、
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含む。
【０１１０】
前記ユーザ機器がＭ個のビームのビーム品質パラメータを決定した後、さらに、ユーザ機器は、第２の検出レポートを生成する。前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０１１１】
前記ユーザ機器は、ネットワークデバイスに前記第２の検出レポートを送信する。
【０１１２】
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスは、第１の実施を参照することができる。
【０１１３】
前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスは、第１の実施を参照することができる。
【０１１４】
上記実施形態４では、ユーザ機器は、第１のビームの検出結果（第１の検出レポートに含まれる）および第２のビームの検出結果（第２の検出レポートに含まれる）をそれぞれネットワークデバイスに送信する。これにより、ネットワークデバイスが検出結果を識別するときの難度を低減し、ビーム検出の効率を向上させる。
【０１１５】
上記の第１の検出レポートについて、ネットワークデバイスは、Ｍ１個の第１のビームから、ビーム品質インデックスが第１のしきい値を満たさない少なくとも１つのビームを削除し、それによって情報の損失および損傷またはこれらのビームを通じてユーザー機器に情報を送信するときに、ユーザー機器が情報やその他の悪い結果を受信するのにかかる時間が長くなることを回避できる。および、上記第２の検出レポートに対して、ネットワークデバイスは、第１のビームに、Ｍ２個の第２のビームのうちのビーム品質インデックスが第２のしきい値を満たす少なくとも１つのビームを追加して、ユーザ機器と通信するときに利用可能なビームを増やし、ネットワークデバイスがユーザー機器と通信する能力を強化することができる。
【０１１６】
実施形態５：前記Ｍ個のビームは、前記ユーザ機器との通信に利用可能であると決定された第１のビームであり、Ｍ個の第１のビームを通じて送信されるビーム品質監視信号は、第１のビーム品質監視信号である。
【０１１７】
前記第１の検出レポートは、具体的に、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含む。
【０１１８】
前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスは、第１の実施を参照することができる。
【０１１９】
上記の第１の検出レポートについて、ネットワークデバイスは、Ｍ個の第１のビームから、ビーム品質インデックスが第１のしきい値を満たさない少なくとも１つのビームを削除し、それによって情報の損失および損傷またはこれらのビームを通じてユーザー機器に情報を送信するときに、ユーザー機器が情報やその他の悪い結果を受信するのにかかる時間が長くなることを回避できる。
【０１２０】
オプションとして、上記の実施形態５と組み合わせて、図３を参照すると、ビーム検出の方法は、以下のステップをさらに備える。
【０１２１】
ステップ３７：ネットワークデバイスは、Ｎ個の第２のビームを使用してユーザ機器に第２のビーム品質監視信号を送信し、前記第２のビームは、前記ユーザ機器との通信に使用されると決定されなかったビームであり、Ｎは正整数である。
【０１２２】
ステップ３８：ユーザ機器は、Ｎ個の第２のビーム品質監視信号を受信する。
【０１２３】
ステップ３９：ユーザ機器は、前記Ｎ個の第２のビーム品質監視信号の信号品質インデックスを決定し、前記Ｎ個のビーム品質監視信号のそれぞれの第２のビーム品質監視信号の信号品質インデックスに基づいて、前記第２のビーム品質監視信号の送信に使用される第２のビームのビーム品質インデックスを決定する。
【０１２４】
ステップ４０：ユーザ機器は、第２の検出レポートを生成する。前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含む。
【０１２５】
前記Ｎ個の第２のビーム中の少なくとも１つのビーム品質インデックスが第２のしきい値を満たすビームの表示情報、および／または、前記Ｎ個の第２のビーム中の少なくとも１つのビーム品質インデックスが第２のしきい値を満たすビームのビーム品質インデックスは、実施形態２を参考することができる。
【０１２６】
ステップ４１：ユーザ機器は、ネットワークデバイスに前記第２の検出レポートを送信する。
【０１２７】
ステップ４２：ネットワークデバイスは、第２の検出レポートを受信する。
【０１２８】
ステップ４３：ネットワークデバイスは、Ｍ個の第１のビームから少なくとも１つのビーム品質インデックスが第１のしきい値を満たさないビームを削除し、および／または、Ｎ個の第２のビーム中の少なくとも１つのビーム品質インデックスが第２のしきい値を満たすビームを第１のビームに追加する。Ｍ個の第１のビームから少なくとも１つのビーム品質インデックスが第１のしきい値を満たさないビームを削除するステップは、ステップ３６の後、例えばステップ３７の前に実行されてもよいことを理解されたい。
【０１２９】
上記の技術的解決策において、ネットワークデバイスは、最初に第１のビーム品質監視信号をユーザ機器に送信し、第１の検出レポートを受信し、第１のビームに、ビーム品質インデックスが第１のビーム品質を満たさないビームが存在することを決定した後に、第２のビーム品質監視信号をユーザー機器に送信し、受信した第２の検出レポートに従って第1のビームを更新し、ビーム品質インデックスが第1のビームを満たさない少なくとも1つの第1のビームを削除する。これにより、情報の損失および損傷またはこれらのビームを通じてユーザー機器に情報を送信するときに、ユーザー機器が情報やその他の悪い結果を受信するのにかかる時間が長くなることを回避できる。ビーム品質インデックスが第2のしきい値を満たす少なくとも1つの第2ビームを第1のビームに追加して、ユーザー機器と通信するときに使用可能なビームを増やし、ネットワークデバイスがユーザーと通信する機能を強化することもできる。
【０１３０】
オプションの実施として、実施形態１、実施形態３、実施形態４、実施形態５のいずれか１つと組み合わせて、前記第１の検出レポートは、具体的には、第１のビーム中のビーム品質インデックスが第１のしきい値を満たさないすべてのＬ１個のビームの表示情報、および／または、前記Ｌ１個のビーム中のビーム品質インデックスが最良または最悪のＫ１個のビームのビーム品質インデックスを含む。
【０１３１】
ここで、Ｋ１は、様々な方法で実施され得る。例では、Ｋ1は1である。別の例では、Ｋ1はネットワークデバイスまたは通信プロトコルによって指定された値（Ｔなど）である。別の例では、Ｋ１は、Ｌ１およびＨのうちの小さい方であり、Ｈは、前記第１の検出レポートを送信するために前記ユーザ機器によって使用されるアップリンクリソースによって運ばれるビーム品質インデックスの最大数である。別の例として、Ｋ1はＬ1、Ｔ、Ｈの最小値である。別の例として、Ｋ1はＬ1とＺの最小値である。ここで、Ｚはユーザ機器がネットワークデバイスから受信した第１の検出レポートに含めるビームの最大数である。別の例として、Ｋ1はＬ1とＱの最小値であり、Ｑはユーザ機器がネットワークデバイスから受信した第１の検出レポートに含める、ビーム品質インデックスは第1のしきい値を満たさないビームの最大数である。別の例として、Ｋ1はＬ1とＷの最小値である。Ｗは、ネットワークデバイスからユーザー機器が受信した、第１の検出レポートに含めることができるビーム品質インデックスの最大数である。別の例として、Ｋ1はＬ1とＲの最小値である。Ｒは、ネットワークデバイスからユーザー機器が受信した、第１の検出レポートに含める、ビーム品質インデックスが第１のしきい値を満たさないビーム品質インデックスの最大数である。
【０１３２】
第１の検出レポートが最良のビーム品質インデックスを有するＫ１個のビームのビーム品質インデックスを含む場合、ネットワークデバイスは、これに基づいて、通信品質要件を満たさない第１のビームの最良の通信品質を測定することができ、通信ビームの調整に関する考慮事項とする。第１の検出レポートにビーム品質インデックスが最悪のＫ１個のビームのビーム品質インデックスが含まれる場合、ネットワークデバイスは、通信ビームを調整するための考慮事項として、通信品質が最悪の第１のビームがどれだけ劣化するかを把握できる。
【０１３３】
オプションの実施として、実施形態１、実施形態３、実施形態４、実施形態５のいずれか１つと組み合わせて、前記第１の検出レポートは、具体的に、第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックスを含む。
【０１３４】
上記のＫ２値は、例えば、ビーム品質監視信号の構成情報に含まれる、ネットワークデバイスによってユーザ機器に示されてもよく、または当該Ｋ２値は、通信プロトコルによって指定される。または、当該Ｋ２値がユーザー機器によって決定され、ユーザー機器がネットワークデバイスにＫ２を通知せず、ネットワークデバイスがブラインド検出を実行してデコードし、第１の検出レポートに含まれる上記の情報を取得する。ユーザ機器は、Ｋ２値をネットワークデバイスに通知することもできる。この場合、Ｋ２値は第１の検出レポートに含まれるか、ネットワークデバイスに個別に送信されるか、他の情報（たとえば、ビーム測定情報）と一緒にネットワークデバイスに送信される。あるいは、Ｋ２はＵとＨ1の小さい方である。ここで、Ｕはビーム品質インデックスが第1のしきい値を満たさず、ユーザー機器によって検出されるビームの総数で、Ｈ1は前記ユーザ機器が、前記第１の検出レポートを送信するためのアップリンクリソースで運ばれるビームの最大数である。別の例として、Ｋ２はＵとＺ1の最小の1つである。Ｚ1は、ネットワークデバイスからユーザー機器が受信した第１の検出レポートに含めることができる最大ビーム数である。別の例として、Ｋ２はＵとＱ1の最小値であり、Ｑ1はネットワークデバイスからユーザー機器が受信した第１の検出レポートに含めることができるビーム品質インデックスが第１のしきい値を満たさないビームの最大数である。別の例として、Ｋ２はＵとＷ1の最小値である。Ｗ1は、ネットワークデバイスからユーザー機器が受信した第１の検出レポートに含めることができるビーム品質インデックスの最大数である。別の例として、Ｋ２はＵとＲ1の最小値である。Ｒ1は、ネットワークデバイスからユーザー機器が受信した第１の検出レポートに含めることができる、ビーム品質インデックスが第１のしきい値を満たさないビーム品質インデックスの最大数である。
【０１３５】
オプションの実施として、実施形態２、実施形態３のいずれか１つと組み合わせて、前記第１の検出レポートは、具体的に、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含む。
【０１３６】
ここで、Ｋ３の実施は、Ｋ１の実施と同様である。たとえば、Ｋ３は1、またはＬ２とＨの小さい方、またはＬ２、Ｔ、Ｈの最小の方である。
【０１３７】
第１の検出レポートが前記ビーム品質インデックスが最良のＫ３個のビームのビーム品質インデックスを含む場合、ネットワークデバイスは、これに基づいて、通信品質要件を満たす第２のビームの最良の通信品質を測定することができる。これを、通信ビームを調整するための考慮事項とする。第１の検出レポートがビーム品質インデックスが最悪のＫ１個のビームのビーム品質インデックスを含む場合、ネットワークデバイスは、通信ビームを調整するための考慮事項として、通信要件を満たす第２ビームの通信品質の下限を知ることができる。
【０１３８】
オプションの実施として、実施形態２、実施形態３のいずれか１つと組み合わせて、前記第１の検出レポートは、具体的に、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含む。
【０１３９】
上記のＫ４の実施は、Ｋ２を参考する場合があり、本発明では繰り返さない。
【０１４０】
オプションの実施として、上記実施形態３と組み合わせて、前記第１の検出レポートは、具体的に、
第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックス（例えば、当該Ｋ２個のビーム中のビーム品質インデックスが最良または最悪の所定数のビーム品質インデックス)を含み、および、
第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックス，例えば、当該Ｋ４個のビーム中のビーム品質インデックスが最良または最悪の所定数のビーム品質インデックスを含む。
【０１４１】
前記Ｋ２は、第１のビーム中のビーム品質インデックスが第１のしきい値を満たさないビームの総数より小さいか等しく、換言すれば、第１の検出レポートは、前記第１のしきい値を満たさないすべてのビームの表示情報を含むことができる。Ｋ４は、第２のビーム中のビーム品質インデックスが第２のしきい値を満たすビームの総数より小さいか等しい。換言すれば、第１の検出レポートは、前記第２のしきい値を満たすすべてのビームの表示情報を含むことができる。
【０１４２】
オプションの実施として、上記実施形態４、実施形態５のいずれか１つと組み合わせて、前記第２の検出レポートは、具体的には、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含む。Ｋ３は、Ｌ２およびＨのうちの小さい方であり、Ｈは、前記第１の検出レポートを送信するために前記ユーザ機器によって使用されるアップリンクリソースによって運ばれるビーム品質インデックスの最大数である。
【０１４３】
第２の検出レポートが前記ビーム品質インデックスが最良のＫ３個のビームのビーム品質インデックスを含む場合、ネットワークデバイスは、これに基づいて、通信品質要件を満たす第２のビームの最良の通信品質を測定することができる。これを、通信ビームを調整するための考慮事項とする。第２の検出レポートがビーム品質インデックスが最悪のＫ１個のビームのビーム品質インデックスを含む場合、ネットワークデバイスは、通信ビームを調整するための考慮事項として、通信要件を満たす第２ビームの通信品質の下限を知ることができる。
【０１４４】
オプションの実施として、上記実施形態４、実施形態５のいずれか１つと組み合わせて、前記第２の検出レポートは、具体的に、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含む。
【０１４５】
オプションの実施として、前記第１の検出レポートが少なくとも２つの第１のビームの表示情報を含む場合、前記少なくとも２つの第１のビームの表示情報はビームのビーム品質インデックスに従って順序付けされ、
および／または、
前記第１の検出レポートが少なくとも２つの第１のビームのビーム品質インデックスを含む場合、少なくとも２つの第１のビームのビーム品質インデックスは、ビームのビーム品質インデックスに従って順序付けされる。
【０１４６】
上記の技術的解決策では、検出レポート内のビームの表示情報またはビームのビーム品質インデックスは、ビームのビーム品質インデックスのレベルに従って順序付けされ、これにより、ネットワークデバイスがビームの相対的な長所と短所をすばやく学習しやすくなる。ネットワークデバイスの復号作業を簡素化し、ビーム検出の効率を向上させる。
【０１４７】
オプションの実施として、前記第１の検出レポートが少なくとも２つの第２のビームの表示情報を含む場合、前記少なくとも２つの第２のビームの表示情報はビームのビーム品質インデックスに従って順序付けされ、
および／または、
前記第１の検出レポートが少なくとも２つの第２のビームのビーム品質インデックスを含む場合、少なくとも２つの第２のビームのビーム品質インデックスは、ビームのビーム品質インデックスに従って順序付けされる。
【０１４８】
上記の技術的解決策では、検出レポート内のビームの表示情報またはビームのビーム品質インデックスは、ビームのビーム品質インデックスのレベルに従って順序付けされ、これにより、ネットワークデバイスがビームの相対的な長所と短所をすばやく学習しやすくなる。ネットワークデバイスの復号作業を簡素化し、ビーム検出の効率を向上させる。
【０１４９】
オプションの実施として、前記第２の検出レポートが少なくとも２つの第２のビームの表示情報を含むとき、前記少なくとも２つの第２のビームの表示情報はビームのビーム品質インデックスに従って順序付けされ、
および／または、
前記第２の検出レポートが少なくとも２つの第２のビームのビーム品質インデックスを含むとき、少なくとも２つの第２のビームのビーム品質インデックスは、ビームのビーム品質インデックスに従って順序付けされる。
【０１５０】
上記の技術的解決策では、検出レポート内のビームの表示情報またはビームのビーム品質インデックスは、ビームのビーム品質インデックスのレベルに従って順序付けされ、これにより、ネットワークデバイスがビームの相対的な長所と短所をすばやく学習しやすくなる。ネットワークデバイスの復号作業を簡素化し、ビーム検出の効率を向上させる。
【０１５１】
オプションの実施として、前記第１の検出レポートおよび／または第２の検出レポートは、パディングビット、または、予約ビットをさらに含む。
【０１５２】
パディングビットまたは予約ビットは、以下を含むがこれに限定されない様々な方法で実施されてもよい。
【０１５３】
（ａ）ダミービット（ｄｕｍｍｙ ｂｉｔｓ）、ここで、ダミービットの数は、ネットワークデバイスによって示される数、または通信プロトコルによって指定される数、またはユーザ機器によって決定される数（例えば、ネットワークデバイスの復号を容易にするために、第１の検出レポートのオーバーヘッドが第１の検出レポートのオーバーヘッドが所定値になるまで、ユーザ機器が第１の検出レポートにダミービットを充填する）であり得る。ユーザ機器は、ダミービットの数をネットワークデバイスに通知することができる。
【０１５４】
（ｂ）ネットワークデバイスに報告する必要があるユーザ機器の他の情報、例えば、ユーザ機器の位置情報、ユーザ機器のビーム／セル測定情報など。送信リソースの利用率を改善してシステムのオーバーヘッドを削減する。
【０１５５】
（ｃ）検出レポートがビーム品質インデックスが第１のしきい値を満たさないビームの表示情報および／またはビーム品質インデックスを含む場合、検出レポートは、少なくとも１つのビーム品質インデックス第１のしきい値を満たすビームの表示情報および／またはビーム品質インデックスを含む。例えば、第１のしきい値を満たすビーム中のビーム品質インデックスが最悪のＫ５個のビームのビーム品質インデックスを含む。上記の技術的解決策は、ネットワークデバイスが第１のビームの通信品質をより包括的に学習することを促進し、通信ビームの調整を促進することができる。
【０１５６】
（ｄ）検出レポートがビーム品質インデックスが第２のしきい値を満たすビームの表示情報および／またはビーム品質インデックスを含む場合、検出レポートは、ビーム品質インデックス第２のしきい値を満たさないビームの表示情報および／またはビーム品質インデックス、例えば、第２のしきい値を満たさないビーム中のビーム品質インデックスが最良のＫ６個のビームのビーム品質インデックスをさらに含み得る。上記の技術的解決策は、ネットワークデバイスが第２のビームの通信品質をより包括的に学習することを容易にし、通信ビームの調整を容易にすることができる。
【０１５７】
オプションとして、ユーザ機器は、ネットワークデバイスが解析するのを容易にするために、パディングビットまたは予約ビットの位置または長さ、および上記のＫ５およびＫ６をネットワークデバイスに報告することができる。または、パディングビットまたは予約ビットの位置または長さ、および上記のＫ5およびＫ6は、ネットワークデバイスによってユーザ機器に事前に示されるか、またはパディングビットまたは予約ビットの位置または長さ、および上記のＫ5およびＫ6は、あらかじめ通信プロトコルで指定されている場合がある。
【０１５８】
オプションの実施として、前記第１の検出レポートはさらに、
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１の検出レポートに含まれるビーム品質インデックスが第２のしきい値を満たすビームの表示情報の量を示す表示情報、および／または
前記第１の検出レポートに含まれるビーム品質インデックスが第２のしきい値を満たすビームのビーム品質インデックスの量を示す表示情報を含む。
【０１５９】
上記の技術的解決策では、ユーザ機器は、第１の検出レポートに含まれ得る様々なタイプの情報の量をネットワークデバイスに通知し、ネットワークデバイスがビーム検出の解析および効率の向上を促進する。
【０１６０】
オプションの実施として、前記第２の検出レポートはさらに、
前記第２の検出レポートに含まれるビーム品質インデックスが第２のしきい値を満たすビームの表示情報の量を示す表示情報、および／または
前記第２の検出レポートに含まれるビーム品質インデックスが第２のしきい値を満たすビームのビーム品質インデックスの量を示す表示情報を含む。
【０１６１】
上記の技術的解決策では、ユーザ機器は、第２の検出レポートに含まれ得る様々なタイプの情報の量をネットワークデバイスに通知し、ネットワークデバイスがビーム検出の解析および効率の向上を促進する。
【０１６２】
オプションの実施として、前記第１の検出レポートはさらに、
前記第１の検出レポートに含まれるビーム品質インデックスが第１のしきい値を満たさないビームの表示情報 の位置的表示情報、および／または
前記第１の検出レポートに含まれるビーム品質インデックスが第１のしきい値を満たさないビームのビーム品質インデックス位置を示す表示情報、および／または
前記第１の検出レポートに含まれるビーム品質インデックスが第２のしきい値を満たすビームの表示情報の位置を示す表示情報、および／または
前記第１の検出レポートに含まれるビーム品質インデックスが第２のしきい値を満たすビームのビーム品質インデックス位置を示す表示情報を含む。
【０１６３】
上記の技術的解決策では、ユーザ機器は、ネットワークデバイスに、第１の検出レポートにおける、第１の検出レポートに含まれ得る様々なタイプの情報の位置を通知し、ネットワークデバイスが解析を改善して、ビーム検出の効率を向上させる。
【０１６４】
オプションの実施として、前記第２の検出レポートはさらに、
前記第２の検出レポートに含まれるビーム品質インデックスが第２のしきい値を満たすビームの表示情報の位置を示す表示情報、および／または
前記第２の検出レポートに含まれるビーム品質インデックスが第２のしきい値を満たすビームのビーム品質インデックス位置を示す表示情報を含む。
【０１６５】
上記の技術的解決策では、ユーザ機器は、第２の検出レポートにおける、第２の検出レポートに含まれ得る様々なタイプの情報の位置をネットワークデバイスに通知し、ネットワークデバイスが解析を改善して、ビーム検出の効率を向上させる。
【０１６６】
オプションの実施として、前記第１の検出レポートまたは、第２の検出レポートは、検出レポートのタイプを示す情報をさらに含む。前記検出レポートのタイプは、第１のしきい値を満たさないビームの検出レポートと、第２のしきい値を満たすビームの検出レポートと、第１のしきい値を満たさないビームおよび第２のしきい値を満たすビームの検出レポートとを含む。
【０１６７】
上記の技術的解決策では、ユーザ機器は、ネットワークデバイスに検出レポートのタイプを通知し、ネットワークデバイスが解析を改善して、ビーム検出の効率を向上させる。
【０１６８】
オプションの実施として、ネットワークデバイスユーザ機器にビーム品質監視信号を送信する前に、まず構成情報をユーザ機器に送信する。前記構成情報は、ユーザ機器に、示された構成パラメータ（例えば、ビーム品質監視信号のアンテナポートの数、ビーム品質監視信号のアンテナポート、ビーム品質監視信号の時間−周波数位置）に基づいて、前記ビーム品質監視信号を受信するように指示する。ユーザ機器は、当該構成情報を受信し、当該構成情報に従ってビーム品質監視信号を検出し、ビーム品質検出信号を受信する。
【０１６９】
オプションの実施として、ネットワークデバイスは、ユーザ機器に第２の構成情報を送信し、当該第２の構成情報は、ビーム品質監視信号が送信される前に送信され得るか、またはビーム品質監視信号が送信された後に送信され得る。これは、本発明の実施形態によって限定されない。第２の構成情報は、
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１のまたは、第２の検出レポートに含まれるビーム品質インデックスが第２のしきい値を満たすビームの表示情報の量を示す表示情報、および／または
前記第１のまたは、第２の検出レポートに含まれるビーム品質インデックスが第２のしきい値を満たすビームのビーム品質インデックスの量を示す表示情報を含む。
【０１７０】
上記の技術的解決策では、ネットワークデバイスは、情報を報告する必要があるビームの量に関してユーザ機器と合意することができ、ビーム検出の効率を改善する。
【０１７１】
オプションとして、上記の構成情報および第２の構成情報は、同じ構成情報であってもよく、または異なる構成情報であってもよい。
【０１７２】
オプションとして、上記第２の構成情報はさらに、
前記第１の検出レポートに含まれるビーム品質インデックスが第１のしきい値を満たさないビームの表示情報の位置的表示情報、および／または
前記第１の検出レポートに含まれるビーム品質インデックスが第１のしきい値を満たさないビームのビーム品質インデックス位置を示す表示情報、および／または
前記第１のまたは、第２の検出レポートに含まれるビーム品質インデックスが第２のしきい値を満たすビームの表示情報の位置を示す表示情報、および／または
前記第１のまたは、第２の検出レポートに含まれるビーム品質インデックスが第２のしきい値を満たすビームのビーム品質インデックス位置を示す表示情報を含む。
【０１７３】
上記の技術的解決策では、ネットワークデバイスは、検出レポートで報告する必要のある情報の位置についてユーザー機器に合意し、ビーム検出の効率を向上させることができる。
【０１７４】
オプションとして、上記第２の構成情報はさらに、第１の検出レポートのタイプを示す情報を含む。前記第１の検出レポートのタイプは、第１のしきい値を満たさないビームの検出レポートと、第２のしきい値を満たすビームの検出レポートと、第１のしきい値を満たさないビームおよび第２のしきい値を満たすビームの検出レポートとを含む。
【０１７５】
上記の技術的解決策では、ネットワークデバイスは、検出レポートのタイプについてユーザ機器に合意し、これにより、ビーム検出の効率を改善することができる。
【０１７６】
オプションとして、前記第１の検出レポートに含まれるビーム品質インデックスが第１のしきい値を満たさないビームの表示情報の量は、ネットワークデバイスと合意した第１の量であり、および／または
前記第１の検出レポートに含まれるビーム品質インデックスが第１のしきい値を満たさないビームのビーム品質インデックスの量は、ネットワークデバイスと合意した第２の量であり、および／または
前記第１のまたは、第２の検出レポートに含まれるビーム品質インデックスが第２のしきい値を満たすビームの表示情報の量は、ネットワークデバイスと合意した第３の量であり、および／または
前記第１のまたは、第２の検出レポートに含まれるビーム品質インデックスが第２のしきい値を満たすビームのビーム品質インデックスの量は、ネットワークデバイスと合意した第４の量である。
【０１７７】
上記の第１から第４の量は、（前述の構成情報に含まれるなど）指示情報を送信することによってネットワークデバイスによってユーザ機器に通知され得るか、または通信プロトコルによって規定され得る。
【０１７８】
オプションの実施として、上記の第１から第４の量は、（前述の構成情報に含まれるなど）指示情報を送信することによってネットワークデバイスによってユーザ機器に通知され得るか、または通信プロトコルによって規定され得る。
【０１７９】
ユーザ機器が第１の検出レポートを送信する場合を例にとると、前記第１の検出レポートを送信するための第１のアップリンクリソース（例えば、ＰＵＣＣＨ１）上でのユーザ機器による前記第１の検出レポートの送信は、第２のアップリンクリソース（例えば、ＰＵＣＣＨ２）上のネットワークデバイスへの第３の信号の送信と衝突すると、
前記ユーザ機器は、前記第２のアップリンクリソースでの第３の信号の送信をキャンセルし、前記第１のリソースで前記第１の検出レポートを送信し、または、
前記ユーザ機器は、前記第２のアップリンクリソースでの信号の送信をキャンセルし、前記第１のリソースで前記第１の検出レポートおよび前記第３の信号を送信し、または、
前記ユーザ機器は、前記第１のアップリンクリソースでの前記第１の検出レポートの送信をキャンセルし、前記第２のリソースで前記第１の検出レポートを送信し、または、
前記ユーザ機器は、前記第１のアップリンクリソースでの前記第１の検出レポートの送信をキャンセルし、前記第２のリソースで前記第１の検出レポートおよび前記第３の信号を送信し、
または、前記ユーザ機器は、前記第１のアップリンクリソースでの前記第１の検出レポートの送信をキャンセルし、前記第２のリソースで前記第３の信号を送信する。ユーザ機器は、第１の検出レポートを送信可能の別の後続の瞬間に、ネットワークデバイスに第１の検出レポートを送信する。
【０１８０】
対応して、第１の検出レポートを受信すると、ネットワークデバイスは、以下のプロセスを実行することができる。
【０１８１】
前記ネットワークデバイスは、前記第２のアップリンクリソースで送信された第３の信号の受信をキャンセルし、前記第１のリソース上で送信された前記第１の検出レポートを受信する。
【０１８２】
または、前記ネットワークデバイスは、前記第２のアップリンクリソースで送信された第３の信号の受信をキャンセルし、前記第１のリソース上で送信された前記第１の検出レポートおよび前記第３の信号を受信する。
【０１８３】
または、前記ネットワークデバイスは、前記第１のアップリンクリソースで送信された前記第１の検出レポートの受信をキャンセルし、前記第２のリソース上で送信された前記第１の検出レポートを受信する。
【０１８４】
または、前記ネットワークデバイスは、前記第１のアップリンクリソースで送信された前記第１の検出レポートの受信をキャンセルし、前記第２のリソース上で送信された前記第１の検出レポートおよび前記第３の信号を受信する。
【０１８５】
ネットワークデバイスは、第１のアップリンクリソース上で送信された第１の検出レポートの受信をキャンセルし、第２のリソース上で送信された第１の検出レポートおよび第３の信号を受信する。
【０１８６】
さらに、ネットワークデバイスの受信動作は、ユーザ機器の送信動作に対応する。たとえば、前記ユーザー機器が第２のアップリンクリソースで信号の送信をキャンセルし、第１の検出レポートと第３の信号を第１のリソースで送信すると、前記ネットワークデバイスは、前記第２のアップリンクリソースで送信された第３の信号の受信をキャンセルし、前記第１のリソース上で送信された前記第１の検出レポートおよび前記第３の信号を受信する。さらに、上記の処理方法は、第２の検出レポートの報告および受信に完全に適用できる。
【０１８７】
上記の技術的解決策において、ユーザ機器およびネットワークデバイスは、通信エラーを回避し、システムの信頼性を向上させるために、検出レポートが他の信号の送信と衝突する際の、ユーザ機器による送信時に処理メカニズムを指定する。
【０１８８】
オプションの実施として、オプションのモードとして、ユーザ機器は、検出レポート内の情報の全部または一部の量、位置などをネットワークデバイスに通知せず、ネットワークデバイスは、ブラインド検出ルールに従って検出レポートに対してブラインド検出を実行することができる。
【０１８９】
本発明の実施形態では、第１または第２の検出レポートの情報について、ユーザ機器は、一度に１つのアップリンクリソースでそれをネットワークデバイスに送信するか、または異なるアップリンクリソースでネットワークデバイスをバッチ処理でネットワークデバイスに送信することができることに留意されたい。例えば、第１の検出レポートは、前記第１の検出レポートに含まれるビーム品質インデックスが第１のしきい値を満たさないビームの表示情報の量を示す表示情報を含む。ユーザ機器は、まずネットワークデバイスに、量を示す表示情報を送信して、ネットワークデバイスにビーム品質インデックスが第１のしきい値を満たさないビームの表示情報を送信する。
【０１９０】
図４は、本発明の一実施形態によるビーム検出の装置５００の概略図である。装置５００は、
Ｍ個のビームを使用してネットワークデバイスによって送信されたビーム品質監視信号を受信するように構成された受信モジュール５１０と、
前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定し、第１の検出レポートを生成するように構成された処理モジュール５２０と、
第１の検出レポートをネットワークデバイスに送信するように構成された送信モジュール５３０とを備える。
【０１９１】
前記ビーム品質監視信号は、ビーム品質を監視するために使用される信号であり、Ｍは正の整数である。
【０１９２】
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む。
【０１９３】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号である。
【０１９４】
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含む。
【０１９５】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号である。
【０１９６】
前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０１９７】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号である。
【０１９８】
前記第１の検出レポートは、
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
および、
前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０１９９】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号である。
【０２００】
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含む。
【０２０１】
前記処理モジュールはさらに、Ｍ個のビームのビーム品質パラメータを決定した後、第２の検出レポートを生成し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０２０２】
前記送信モジュールはさらに、ネットワークデバイスに前記第２の検出レポートを送信する。
【０２０３】
オプションとして、前記Ｍ個のビームは、前記ユーザ機器との通信に利用可能であると決定された第１のビームであり、Ｍ個の第１のビームを通じて送信されるビーム品質監視信号は、第１のビーム品質監視信号である。
【０２０４】
前記第１の検出レポートは、具体的に、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含む。
【０２０５】
オプションとして、前記受信モジュールはさらに、前記送信モジュールがネットワークデバイスに前記第１の検出レポートを送信した後、Ｎ個の第２のビームを使用してネットワークデバイスによって送信された第２のビーム品質監視信号を受信し、前記第２のビームは、前記ユーザ機器との通信に使用されると決定されなかったビームであり、Ｎは正の整数である。
【０２０６】
前記処理モジュールはさらに、前記Ｎ個の第２のビーム品質監視信号の信号品質インデックスを決定し、前記Ｎ個のビーム品質監視信号のそれぞれの第２のビーム品質監視信号の信号品質インデックスに基づいて、前記第２のビーム品質監視信号の送信に使用される第２のビームのビーム品質インデックスを決定し、第２の検出レポートを生成し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含む。
【０２０７】
前記送信モジュールはさらに、ネットワークデバイスに前記第２の検出レポートを送信する。
【０２０８】
オプションとして、前記第１の検出レポートは、具体的に、第１のビーム中のビーム品質インデックスが第１のしきい値を満たさないすべてのＬ１個のビームの表示情報、および／または、前記Ｌ１個のビーム中のビーム品質インデックスが最良または最悪のＫ１個のビームのビーム品質インデックスを含む。前記Ｋ１は１であり、または、Ｋは、Ｌ１およびＨのうちの小さい方であり、Ｈは、前記第１の検出レポートを送信するために前記ユーザ機器によって使用されるアップリンクリソースによって運ばれるビーム品質インデックスの最大数である。
【０２０９】
オプションとして、前記第１の検出レポートは、具体的に、第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックスを含む。
【０２１０】
オプションとして、前記第１の検出レポートは、具体的に、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含む。前記Ｋ３は１であり、または、Ｋ３は、Ｌ２およびＨのうちの小さい方であり、Ｈは、前記第１の検出レポートを送信するために前記ユーザ機器によって使用されるアップリンクリソースによって運ばれるビーム品質インデックスの最大数である。
【０２１１】
オプションとして、前記第１の検出レポートは、具体的に、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含む。
【０２１２】
オプションとして、前記第１の検出レポートは、具体的に、第１のビーム中のビーム品質インデックスが第１のしきい値を満たさないビームの中でビーム品質インデックスが最良または最悪のＫ２個のビームの表示情報、および／または、前記Ｋ２個のビーム中の少なくとも１つのビームのビーム品質インデックスを含む。
【０２１３】
および、前記第１の検出レポートは、具体的に、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含む。
【０２１４】
前記Ｋ２は、第１のビーム中のビーム品質インデックスが第１のしきい値を満たさないビームの総数より小さいか等しく、Ｋ４は、第２のビーム中のビーム品質インデックスが第２のしきい値を満たすビームの総数より小さいか等しい。
【０２１５】
オプションとして、前記第２の検出レポートは、具体的に、第２のビーム中のビーム品質インデックスが第２のしきい値を満たすすべてのＬ２個のビームの表示情報、および／または、前記Ｌ２個のビーム中のビーム品質インデックスが最良または最悪のＫ３個のビームのビーム品質インデックスを含む。前記Ｋ３は１であり、または、Ｋ３は、Ｌ２およびＨのうちの小さい方であり、Ｈは、前記第１の検出レポートを送信するために前記ユーザ機器によって使用されるアップリンクリソースによって運ばれるビーム品質インデックスの最大数である。
【０２１６】
オプションとして、前記第２の検出レポートは、具体的に、第２のビーム中のビーム品質インデックスが第２のしきい値を満たすビーム中のビーム品質インデックスが最良または最悪のＫ４個のビームの表示情報、および／または、前記Ｋ４個のビーム中の少なくとも１つのビームのビーム品質インデックスを含む。
【０２１７】
オプションとして、前記処理モジュール５２０は、ビームのビーム品質インデックスを決定することは、具体的に、
前記ビームを通じて送信されたビーム品質監視信号の信号品質インデックスを、ビームのビーム品質インデックスとし、または、
前記ビームを通じて送信されたビーム品質監視信号の信号品質インデックスに基づいて、前記ビームに対応するリソース集合の仮想通信品質インデックスを決定し、前記ビームに対応するリソース集合の仮想通信品質インデックスをビームのビーム品質インデックスとし、または、
前記ビームを通じて送信されたビーム品質監視信号の信号品質インデックスに基づいて、前記ビームに対応するダウンリンクチャネルの仮想通信品質インデックスを決定し、前記ビームに対応するダウンリンクチャネルの仮想通信品質インデックスを、ビームのビーム品質インデックスとし、または、
前記ビームを通じて送信されたビーム品質監視信号の信号品質インデックスに基づいて、前記ビームに対応するサーチスペースの仮想通信品質インデックスを決定し、前記ビームに対応するサーチスペースの仮想通信品質インデックスをビームのビーム品質インデックスとする。
【０２１８】
オプションとして、前記第１の検出レポートが少なくとも２つの第１のビームの表示情報を含む場合、前記少なくとも２つの第１のビームの表示情報はビームのビーム品質インデックスに従って順序付けされる。
【０２１９】
および／または、
前記第１の検出レポートが少なくとも２つの第１のビームのビーム品質インデックスを含む場合、少なくとも２つの第１のビームのビーム品質インデックスは、ビームのビーム品質インデックスに従って順序付けされる。
【０２２０】
オプションとして、前記第１の検出レポートが少なくとも２つの第２のビームの表示情報を含む場合、前記少なくとも２つの第２のビームの表示情報はビームのビーム品質インデックスに従って順序付けされる。
【０２２１】
および／または、
前記第１の検出レポートが少なくとも２つの第２のビームのビーム品質インデックスを含む場合、少なくとも２つの第２のビームのビーム品質インデックスは、ビームのビーム品質インデックスに従って順序付けされる。
【０２２２】
オプションとして、前記第１の検出レポートは、パディングビット、または、予約ビットをさらに含む。
【０２２３】
オプションとして、前記パディングビットは、第１のしきい値を満たすビーム中のビーム品質インデックスが最悪のＫ５個のビームのビーム品質インデックス、および／または、第２のしきい値を満たさないビーム中のビーム品質インデックスが最良のＫ６個のビームのビーム品質インデックスを含む。
【０２２４】
オプションとして、前記第１の検出レポートはさらに、
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１の検出レポートに含まれるビーム品質インデックスが第２のしきい値を満たすビームの表示情報の量を示す表示情報、および／または
前記第１の検出レポートに含まれるビーム品質インデックスが第２のしきい値を満たすビームのビーム品質インデックスの量を示す表示情報、および／または
前記第１の検出レポートに含まれるビーム品質インデックスが第１のしきい値を満たさないビームの表示情報の位置を示す表示情報、および／または
前記第１の検出レポートに含まれるビーム品質インデックスが第１のしきい値を満たさないビームのビーム品質インデックス位置を示す表示情報、および／または
前記第１の検出レポートに含まれるビーム品質インデックスが第２のしきい値を満たすビームの表示情報の位置を示す表示情報、および／または
前記第１の検出レポートに含まれるビーム品質インデックスが第２のしきい値を満たすビームのビーム品質インデックス位置を示す表示情報、および／または
第１の検出レポートのタイプを示す情報、前記第１の検出レポートのタイプは、第１のしきい値を満たさないビームの検出レポートと、第２のしきい値を満たすビームの検出レポートと、第１のしきい値を満たさないビームの検出レポートと、第２のしきい値を満たすビームの検出レポートとを含み、および／または
前記第１の検出レポートに含まれることを許可されたビーム表示情報の最大量の情報、および／または
前記第１の検出レポートに含まれることを許可されたビーム品質インデックスの最大量を示す情報を含む。
【０２２５】
オプションとして、前記第１の検出レポートに含まれるビーム品質インデックスが第１のしきい値を満たさないビームの表示情報の量は、ネットワークデバイスと合意した第１の量であり、および／または
前記第１の検出レポートに含まれるビーム品質インデックスが第１のしきい値を満たさないビームのビーム品質インデックスの量は、ネットワークデバイスと合意した第２の量であり、および／または
前記第１の検出レポートに含まれるビーム品質インデックスが第２のしきい値を満たすビームの表示情報の量は、ネットワークデバイスと合意した第３の量であり、および／または
前記第１の検出レポートに含まれるビーム品質インデックスが第２のしきい値を満たすビームのビーム品質インデックスの量は、ネットワークデバイスと合意した第４の量である。
【０２２６】
オプションとして、前記送信モジュール５３０は、具体的に、
前記第１の検出レポートを送信するための第１のアップリンクリソースでの記第１の検出レポートの送信が、第２のアップリンクリソースでのネットワークデバイスへの第３の信号の送信と衝突するとき、
前記第２のアップリンクリソースでの第３の信号の送信をキャンセルし、前記第１のリソースで前記第１の検出レポートを送信し、または、
前記第２のアップリンクリソースでの第３の信号の送信をキャンセルし、前記第１のリソースで前記第１の検出レポートおよび前記第３の信号を送信し、または、
前記第１のアップリンクリソースでの前記第１の検出レポートの送信をキャンセルし、前記第２のリソースで前記第１の検出レポートを送信し、または、
前記第１のアップリンクリソースでの前記第１の検出レポートの送信をキャンセルし、前記第２のリソースで前記第１の検出レポートおよび前記第３の信号を送信する。
【０２２７】
オプションとして、前記受信モジュール５１０はさらに、ネットワークデバイスによって送信されたビーム品質監視信号を受信する前、ネットワークデバイスによって送信された構成情報を受信し、前記構成情報は、指示された構成パラメータに従って前記ビーム品質監視信号を受信するように、ユーザ機器に指示する。
【０２２８】
オプションとして、前記受信モジュール５１０はさらに、第１の検出レポートを生成する前、ネットワークデバイスによって送信された第２の構成情報を受信し、前記第２の構成情報は、
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１の検出レポートに含まれるビーム品質インデックスが第２のしきい値を満たすビームの表示情報の量を示す表示情報、および／または
前記第１の検出レポートに含まれるビーム品質インデックスが第２のしきい値を満たすビームのビーム品質インデックスの量を示す表示情報、および／または
前記第１の検出レポートに含まれるビーム品質インデックスが第１のしきい値を満たさないビームの表示情報の位置を示す表示情報、および／または
前記第１の検出レポートに含まれるビーム品質インデックスが第１のしきい値を満たさないビームのビーム品質インデックス位置を示す表示情報、および／または
前記第１の検出レポートに含まれるビーム品質インデックスが第２のしきい値を満たすビームの表示情報の位置を示す表示情報、および／または
前記第１の検出レポートに含まれるビーム品質インデックスが第２のしきい値を満たすビームのビーム品質インデックス位置を示す表示情報、および／または
第１の検出レポートのタイプを示す情報を含む。
【０２２９】
前記第１の検出レポートのタイプは、第１のしきい値を満たさないビームの検出レポートと、第２のしきい値を満たすビームの検出レポートと、第１のしきい値を満たさないビームの検出レポートと、第２のしきい値を満たすビームの検出レポートとを含む。
【０２３０】
前記第２の構成情報は、
前記第１の検出レポートに含まれることを許可されたビーム表示情報の最大量の情報、および／または
前記第１の検出レポートに含まれることを許可されたビーム品質インデックスの最大量を示す情報を含む。
【０２３１】
上記の装置５００およびそのモジュールの実施は、上記のビーム検出の方法においてユーザ機器によって実行されるステップを参照することができ、本発明の実施形態では繰り返されない。
【０２３２】
図５は、本発明の実施形態によって提供されるビーム検出の装置６００の概略図である。装置６００は、
Ｍ個のビームを使用してビーム品質監視信号を送信するように構成された送信モジュール６１０と、
ユーザ機器により送信された第１の検出レポートを受信するように構成された受信モジュール６２０と、
前記ビーム品質監視信号は、ビーム品質を監視するために使用される信号であり、Ｍは正の整数である。
【０２３３】
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含む。
【０２３４】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含む。
【０２３５】
前記装置６００は、前記受信モジュールが前記第１の検出レポートを受信した後、第１のビームから少なくとも１つのビーム品質インデックスが第１のしきい値を満たさないビームを削除するように構成された処理モジュール６３０をさらに備える。
【０２３６】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０２３７】
前記装置は、前記受信モジュールが前記第１の検出レポートを受信した後、少なくとも１つのビーム品質インデックスが第２のしきい値を満たす第２のビームを第１のビームに追加するように構成された処理モジュール６３０をさらに備える。
【０２３８】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号である。
【０２３９】
前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、および、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０２４０】
前記装置は、前記受信モジュールが前記第１の検出レポートを受信した後、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加するように構成された処理モジュール６３０をさらに備える。
【０２４１】
オプションとして、前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含む。
【０２４２】
前記受信モジュール６２０はさらに、ユーザ機器により送信された第２の検出レポートを受信し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含む。
【０２４３】
前記装置は、前記受信モジュールが前記第１の検出レポートを受信した後、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加するように構成された処理モジュール６３０をさらに備える。
【０２４４】
オプションとして、前記Ｍ個のビームは、前記ユーザ機器との通信に利用可能であると決定された第１のビームであり、Ｍ個の第１のビームを通じて送信されるビーム品質監視信号は、第１のビーム品質監視信号であり、前記第１の検出レポートは、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含む。
【０２４５】
前記送信モジュール６１０はさらに、前記受信モジュールが前記第１の検出レポートを受信した後、Ｎ個の第２のビームを使用してユーザ機器に第２のビーム品質監視信号を送信し、前記第２のビームは、前記ユーザ機器との通信に使用されると決定されなかったビームであり、Ｎは正の整数である。
【０２４６】
前記受信モジュール６２０はさらに、ユーザ機器によって報告された第２の検出レポートを受信し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含む。
【０２４７】
前記装置は、前記受信モジュールが前記第１の検出レポートおよび及前記第２の検出レポートを受信した後、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加するように構成された処理モジュール６３０をさらに備える。
【０２４８】
オプションとして、前記送信モジュール６１０はさらに、ユーザ機器にビーム品質監視信号を送信する前に、ユーザ機器に構成情報を送信し、前記構成情報は、指示された構成パラメータに従って前記ビーム品質監視信号を受信するように、ユーザ機器に指示する。
【０２４９】
オプションとして、前記送信モジュール６１０はさらに、ユーザ機器に第２の構成情報を送信する。
【０２５０】
前記第２の構成情報は、
ユーザ機器によって報告された第１の検出レポートのタイプを示す表示情報、および／または
前記第１の検出レポートに含まれるビーム品質インデックスが第１のしきい値を満たさないビームの表示情報の量を示す表示情報、および／または
前記第１の検出レポートに含まれるビーム品質インデックスが第１のしきい値を満たさないビームのビーム品質インデックスの量を示す表示情報、および／または
前記第１の検出レポートに含まれるビーム品質インデックスが第２のしきい値を満たすビームの表示情報の量を示す表示情報、および／または
前記第１の検出レポートに含まれるビーム品質インデックスが第２のしきい値を満たすビームのビーム品質インデックスの量を示す表示情報、および／または
前記第１の検出レポートに含まれるビーム品質インデックスが第１のしきい値を満たさないビームの表示情報の位置を示す表示情報、および／または
前記第１の検出レポートに含まれるビーム品質インデックスが第１のしきい値を満たさないビームのビーム品質インデックス位置を示す表示情報、および／または
前記第１の検出レポートに含まれるビーム品質インデックスが第２のしきい値を満たすビームの表示情報の位置を示す表示情報、および／または
前記第１の検出レポートに含まれるビーム品質インデックスが第２のしきい値を満たすビームのビーム品質インデックス位置を示す表示情報、および／または
前記第１の検出レポートに含まれることを許可されたビーム表示情報の最大量の情報、および／または
前記第１の検出レポートに含まれることを許可されたビーム品質インデックスの最大量を示す情報を含む。
【０２５１】
オプションとして、前記受信モジュール６２０は、具体的に、
前記第１の検出レポートを送信するための第１のアップリンクリソースでのユーザ機器による前記第１の検出レポートの送信が、第２のアップリンクリソースでのネットワークデバイスへの第３の信号の送信と衝突するとき、
前記第２のアップリンクリソースで送信された第３の信号の受信をキャンセルし、前記第１のリソースで送信された前記第１の検出レポートを受信し、または、
前記第２のアップリンクリソースで送信された第３の信号の受信をキャンセルし、前記第１のリソースで送信された前記第１の検出レポートおよび前記第３の信号を受信し、または、
前記第１のアップリンクリソースで送信された前記第１の検出レポートの受信をキャンセルし、前記第２のリソースで送信された前記第１の検出レポートを受信し、または、
前記第１のアップリンクリソースで送信された前記第１の検出レポートの受信をキャンセルし、前記第２のリソースで送信された前記第１の検出レポートおよび前記第３の信号を受信する。
【０２５２】
オプションとして、処理モジュール６３０は、受信モジュールがユーザ機器により送信された第１の検出レポートを受信した後、ブラインド検出規則に従って前記第１の検出レポートをブラインド検出する。
【０２５３】
上記の装置６００およびそのモジュールの特定の実施は、上記のビーム検出方法においてネットワークデバイスによって実行されるステップを参照することができ、本発明の実施形態では繰り返されない。
【０２５４】
図６は、本発明の一実施形態におけるユーザ機器７００の概略図である。ユーザ機器７００は、コンピュータ命令を格納するように構成されたメモリ７１０と、
ネットワークデバイスと通信するように構成された通信インターフェース７２０と、
前記メモリおよび前記通信インターフェースにそれぞれ通信可能に接続され、前記コンピュータ命令を実行するときに前記コンピュータ命令を実行して上記ビーム検出の方法でユーザ機器によって実行されるステップを実行するように構成されたプロセッサ７３０とを備える。
【０２５５】
上記のプロセッサ７３０は、処理要素または複数の処理要素の集合的な用語であり得る。例えば、プロセッサ７３０は、中央処理装置（Ｃｅｎｔｒａｌ Ｐｒｏｃｅｓｓｉｎｇ Ｕｎｉｔ，ＣＰＵ）または特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、または本発明の実施形態を実施するように構成された１つ以上の集積回路、例えば１つ以上のデジタル信号プロセッサ（Ｄｉｇｉｔａｌ Ｓｉｇｎａｌ Ｐｒｏｃｅｓｓｏｒ，ＤＳＰ）であってもよい。または1つ以上のフィールドプログラマブルゲートアレイ（Ｆｉｅｌｄ Ｐｒｏｇｒａｍｍａｂｌｅ Ｇａｔｅ Ａｒｒａｙ，ＦＰＧＡ）であってもよい。
【０２５６】
上記のメモリ７１０は、ストレージコンポーネントまたは複数のストレージコンポーネントの集合的な用語であり得、実行可能プログラムコード、データなどを格納するために使用され得る。そして、メモリは、ランダムアクセスメモリ（Ｒａｎｄｏｍ−Ａｃｃｅｓｓ Ｍｅｍｏｒｙ，ＲＡＭ）を含み得、また、例えば、ディスクメモリ、フラッシュメモリ（Ｆｌａｓｈ）などの不揮発性メモリ（Ｎｏｎ−Ｖｏｌａｔｉｌｅ Ｍｅｍｏｒｙ，ＮＶＭ）も含み得る。
【０２５７】
上記のユーザ機器７００およびその構成要素の実施は、上記のビーム検出の方法においてユーザ機器によって実行されるステップを参照することができ、本発明の実施形態では繰り返されない。
【０２５８】
本発明の実施形態は、ネットワークデバイスをさらに提供し、その構造は、引き続き図６を参照し得る。ネットワークデバイスは、
コンピュータ命令を格納するように構成されたメモリと、
ユーザ機器と通信するように構成された通信インターフェースと、
前記メモリおよび前記通信インターフェースにそれぞれ通信可能に接続され、前記コンピュータ命令を実行するときに前記コンピュータ命令を実行して上記ビーム検出の方法でネットワークデバイスによって実行されるステップを実行するように構成されたプロセッサとを備える
【０２５９】
上記のプロセッサは、処理要素または複数の処理要素の集合的な用語であり得る。例えば、プロセッサは、中央処理装置（Ｃｅｎｔｒａｌ Ｐｒｏｃｅｓｓｉｎｇ Ｕｎｉｔ，ＣＰＵ）または特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、または本発明の実施形態を実施するように構成された１つ以上の集積回路、例えば１つ以上のデジタル信号プロセッサ（Ｄｉｇｉｔａｌ Ｓｉｇｎａｌ Ｐｒｏｃｅｓｓｏｒ，ＤＳＰ）、または1つ以上のフィールドプログラマブルゲートアレイ（Ｆｉｅｌｄ Ｐｒｏｇｒａｍｍａｂｌｅ Ｇａｔｅ Ａｒｒａｙ，ＦＰＧＡ）であってもよい。
【０２６０】
上記のメモリは、ストレージコンポーネントまたは複数のストレージコンポーネントの集合的な名前であり得、実行可能プログラムコード、データなどを格納するために使用され得る。そして、メモリは、ランダムアクセスメモリ（Ｒａｎｄｏｍ−Ａｃｃｅｓｓ Ｍｅｍｏｒｙ，ＲＡＭ）を含み得、また、例えば、ディスクメモリ、フラッシュメモリ（Ｆｌａｓｈ）などの不揮発性メモリ（Ｎｏｎ−Ｖｏｌａｔｉｌｅ Ｍｅｍｏｒｙ，ＮＶＭ）も含み得る。
【０２６１】
上記のネットワークデバイスおよびそのコンポーネントの特定の実施は、上記のビーム検出の方法においてネットワークデバイスによって実行されるステップを参照することができ、本発明の実施形態では繰り返されない。
【０２６２】
本発明は、その中にコンピュータ命令を記憶するコンピュータ可読記憶媒体を提供し、コンピュータ命令は、コンピュータ上で実行されているときに、コンピュータに上記のビーム検出方法のステップの一部またはすべてを実行させる。
【０２６３】
本発明は、コンピュータ上で実行するときに、コンピュータに上記のビーム検出の方法のステップの一部またはすべてを実行させるコンピュータプログラム製品を提供する。
【０２６４】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０２６５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２６６】
これらのコンピュータプログラム指令は、又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２６７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２６８】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２６９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２７０】
100  ネットワークデバイス
200  ユーザ機器
500  装置
510  受信モジュール
520  処理モジュール
530  送信モジュール
600  装置
610  送信モジュール
620  受信モジュール
630  処理モジュール
700  ユーザ機器
710  メモリ
720  通信インターフェース
730  プロセッサ
【図１】
2021501537.tif 000003
【図２】
2021501537.tif 000004
【図３】
2021501537.tif 000005
【図４】
2021501537.tif 000006
【図５】
2021501537.tif 000007
【図６】
2021501537.tif 000008
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
ユーザ機器は、Ｍ個のビームを使用してネットワークデバイスによって送信されたビーム品質監視信号を受信するステップと、
前記ユーザ機器は、前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定するステップと、
前記ユーザ機器は、第１の検出レポートを生成するステップと、
前記ユーザ機器は、ネットワークデバイスに前記第１の検出レポートを送信するステップとを備え、
前記ビーム品質監視信号は、ビーム品質を監視するために使用される信号であり、Ｍは正の整数であり、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含むことを特徴とするビーム検出の方法。
【請求項２】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、
前記Ｍ１個の第１のビームのうちの第１のしきい値を満たさない少なくとも１つのビームの表示情報と、
前記Ｍ１個の第１のビーム中の少なくとも１つのビーム品質インデックスが第１のしきい値を満たさないビームのビーム品質インデックスと、
前記Ｍ２個の第２のビーム中の少なくとも１つのビーム品質インデックスが第２のしきい値を満たすビームの表示情報と、
前記Ｍ２個の第２のビーム中の少なくとも１つのビーム品質インデックスが第２のしきい値を満たすビームのビーム品質インデックスと
のうちの少なくとも１つを含むことを特徴とする請求項１に記載のビーム検出の方法。
【請求項３】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、
前記第１の検出レポートは、
前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
前記ユーザ機器がＭ個のビームのビーム品質パラメータを決定した後、さらに、
ユーザ機器は、第２の検出レポートを生成し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記ユーザ機器は、ネットワークデバイスに前記第２の検出レポートを送信することを特徴とする請求項１または請求項２に記載のビーム検出の方法。
【請求項４】
前記Ｍ個のビームは、前記ユーザ機器との通信に利用可能であると決定された第１のビームであり、Ｍ個の第１のビームを通じて送信されるビーム品質監視信号は、第１のビーム品質監視信号であり、
前記第１の検出レポートは、
前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含むことを特徴とする請求項１から請求項３のいずれか一項に記載のビーム検出の方法。
【請求項５】
前記ユーザ機器が、ネットワークデバイスに前記第１の検出レポートを送信した後、さらに、
前記ユーザ機器は、Ｎ個の第２のビームを使用してネットワークデバイスによって送信された第２のビーム品質監視信号を受信し、前記第２のビームは、前記ユーザ機器との通信に使用されると決定されなかったビームであり、Ｎは正の整数であり、
前記ユーザ機器は、前記Ｎ個の第２のビーム品質監視信号の信号品質インデックスを決定し、前記Ｎ個のビーム品質監視信号のそれぞれの第２のビーム品質監視信号の信号品質インデックスに基づいて、前記第２のビーム品質監視信号の送信に使用される第２のビームのビーム品質インデックスを決定し、
前記ユーザ機器は、第２の検出レポートを生成し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、
前記ユーザ機器は、ネットワークデバイスに前記第２の検出レポートを送信することを特徴とする請求項４に記載のビーム検出の方法。
【請求項６】
前記第１の検出レポートに含まれる表示情報および/またはビーム品質インデックスは、以下とおりに順序付けされ：
前記第１の検出レポートが少なくとも２つの第１のビームの表示情報を含む場合、前記少なくとも２つの第１のビームの表示情報はビームのビーム品質インデックスに従って順序付けされ、
または、
前記第１の検出レポートが少なくとも２つの第１のビームのビーム品質インデックスを含む場合、少なくとも２つの第１のビームのビーム品質インデックスは、ビームのビーム品質インデックスに従って順序付けされ、
前記第１の検出レポートが少なくとも２つの第２のビームの表示情報を含む場合、前記少なくとも２つの第２のビームの表示情報はビームのビーム品質インデックスに従って順序付けされ、
または、
前記第１の検出レポートが少なくとも２つの第２のビームのビーム品質インデックスを含む場合、少なくとも２つの第２のビームのビーム品質インデックスは、ビームのビーム品質インデックスに従って順序付けされることを特徴とする請求項１、請求項２、請求項４から請求項５のいずれか一項に記載のビーム検出の方法。
【請求項７】
前記第１の検出レポートは、
前記第１の検出レポートに含まれるビーム品質インデックスが第１のしきい値を満たさないビームの表示情報の量を示す表示情報と、
前記第１の検出レポートに含まれるビーム品質インデックスが第１のしきい値を満たさないビームのビーム品質インデックスの量を示す表示情報と、
前記第１の検出レポートに含まれるビーム品質インデックスが第２のしきい値を満たすビームの表示情報の量を示す表示情報と、
前記第１の検出レポートに含まれるビーム品質インデックスが第２のしきい値を満たすビームのビーム品質インデックスの量を示す表示情報と、
前記第１の検出レポートに含まれるビーム品質インデックスが第１のしきい値を満たさないビームの表示情報の位置を示す表示情報と、
前記第１の検出レポートに含まれるビーム品質インデックスが第１のしきい値を満たさないビームのビーム品質インデックス位置を示す表示情報と、
前記第１の検出レポートに含まれるビーム品質インデックスが第２のしきい値を満たすビームの表示情報の位置を示す表示情報と、
前記第１の検出レポートに含まれるビーム品質インデックスが第２のしきい値を満たすビームのビーム品質インデックス位置を示す表示情報と、
第１の検出レポートのタイプを示す情報と
のうちの少なくとも１つを含み、
前記第１の検出レポートのタイプは、第１のしきい値を満たさないビームの検出レポートと、第２のしきい値を満たすビームの検出レポートと、第１のしきい値を満たさないビームの検出レポートと、第２のしきい値を満たすビームの検出レポートとのうちの少なくとも１つを含むことを特徴とする請求項１から請求項６のいずれか一項に記載のビーム検出の方法。
【請求項８】
前記ユーザ機器がネットワークデバイスに第１の検出レポートを送信することは、
前記第１の検出レポートを送信するための第１のアップリンクリソースでのユーザ機器による前記第１の検出レポートの送信が、第２のアップリンクリソースでのネットワークデバイスへの第３の信号の送信と衝突するとき、
前記ユーザ機器は、前記第２のアップリンクリソースでの第３の信号の送信をキャンセルし、前記第１のリソースで前記第１の検出レポートを送信し、または、
前記ユーザ機器は、前記第２のアップリンクリソースでの第３の信号の送信をキャンセルし、前記第１のリソースで前記第１の検出レポートおよび前記第３の信号を送信し、または、
前記ユーザ機器は、前記第１のアップリンクリソースでの前記第１の検出レポートの送信をキャンセルし、前記第２のリソースで前記第１の検出レポートを送信し、または、
前記ユーザ機器は、前記第１のアップリンクリソースでの前記第１の検出レポートの送信をキャンセルし、前記第２のリソースで前記第１の検出レポートおよび前記第３の信号を送信することを特徴とする請求項１から請求項７のいずれか一項に記載のビーム検出の方法。
【請求項９】
ネットワークデバイスは、Ｍ個のビームを使用してビーム品質監視信号を送信するステップと、
ネットワークデバイスは、ユーザ機器により送信された第１の検出レポートを受信するステップとを備え、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含み、
前記ビーム品質監視信号は、ビーム品質を監視するために使用される信号であり、Ｍは正の整数であることを特徴とするビーム検出の方法。
【請求項１０】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報と、前記Ｍ１個の第１のビーム中の少なくとも１つのビーム品質インデックスが第１のしきい値を満たさないビームのビーム品質インデックスとのうちの少なくとも１つを含み、
前記ネットワークデバイスが前記第１の検出レポートを受信した後、
前記ネットワークデバイスは、第１のビームから少なくとも１つのビーム品質インデックスが第１のしきい値を満たさないビームを削除し、および/または、第２のしきい値を満たす少なくとも１つの第２のビームを第１のビームに追加することを特徴とする請求項９に記載のビーム検出の方法。
【請求項１１】
前記Ｍ個のビームは、前記ユーザ機器との通信に利用可能であると決定されたＭ１個の第１のビームと、前記ユーザ機器との通信に使用されると決定されなかったＭ２個の第２のビームとを含み、第１のビームを通じて送信されるビーム品質監視信号は第１のビーム品質監視信号であり、第２のビームを通じて送信されるビーム品質監視信号は第２のビーム品質監視信号であり、前記第１の検出レポートは、前記Ｍ１個の第１のビームのうちの第１のしきい値を満たさない少なくとも１つのビームの表示情報、および／または、前記Ｍ１個の第１のビーム中の少なくとも１つのビーム品質インデックスが第１のしきい値を満たさないビームのビーム品質インデックスを含み、
ネットワークデバイスは、ユーザ機器により送信された第２の検出レポートを受信し、前記第２の検出レポートは、前記Ｍ２個の第２のビーム中の少なくとも１つのビーム品質インデックスが第２のしきい値を満たすビームの表示情報、および／または、前記Ｍ２個の第２のビーム中の少なくとも１つのビーム品質インデックスが第２のしきい値を満たすビームのビーム品質インデックスを含み、
前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加することを特徴とする請求項９に記載のビーム検出の方法。
【請求項１２】
前記Ｍ個のビームは、前記ユーザ機器との通信に利用可能であると決定された第１のビームであり、Ｍ個の第１のビームを通じて送信されるビーム品質監視信号は、第１のビーム品質監視信号であり、前記第１の検出レポートは、前記Ｍ個の第１のビームのうちの第１のしきい値を満たさない少なくとも１つのビームの表示情報、および／または、前記Ｍ個の第１のビーム中の少なくとも１つのビーム品質インデックスが第１のしきい値を満たさないビームのビーム品質インデックスを含み、
前記ネットワークデバイスが前記第１の検出レポートを受信した後、
ネットワークデバイスは、Ｎ個の第２のビームを使用してユーザ機器に第２のビーム品質監視信号を送信し、前記第２のビームは、前記ユーザ機器との通信に使用されると決定されなかったビームであり、Ｎは正の整数であり、
ネットワークデバイスは、ユーザ機器によって報告された第２の検出レポートを受信し、前記第２の検出レポートは、前記Ｎ個の第２のビーム中の少なくとも１つのビーム品質インデックスが第２のしきい値を満たすビームの表示情報、および／または、少なくとも１つのビーム品質インデックスが第２のしきい値を満たすビームのビーム品質インデックスを含み、
前記ネットワークデバイスは、少なくとも１つのビーム品質インデックスが第１のしきい値を満たさないビームを第１のビームから削除し、および／または、少なくとも１つのビーム品質インデックスが第２のしきい値を満たす第２のビームを第１のビームに追加することを特徴とする請求項９に記載のビーム検出の方法。
【請求項１３】
前記ネットワークデバイスは、ユーザ機器により送信された第１の検出レポートを受信することは、
前記第１の検出レポートを送信するための第１のアップリンクリソースでのユーザ機器による前記第１の検出レポートの送信が、第２のアップリンクリソースでのネットワークデバイスへの第３の信号の送信と衝突するとき、
前記ネットワークデバイスは、前記第２のアップリンクリソースで送信された第３の信号の受信をキャンセルし、前記第１のリソースで送信された前記第１の検出レポートを受信し、または、
前記ネットワークデバイスは、前記第２のアップリンクリソースで送信された第３の信号の受信をキャンセルし、前記第１のリソースで送信された前記第１の検出レポートおよび前記第３の信号を受信し、または、
前記ネットワークデバイスは、前記第１のアップリンクリソースで送信された前記第１の検出レポートの受信をキャンセルし、前記第２のリソースで送信された前記第１の検出レポートを受信し、または、
前記ネットワークデバイスは、前記第１のアップリンクリソースで送信された前記第１の検出レポートの受信をキャンセルし、前記第２のリソースで送信された前記第１の検出レポートおよび前記第３の信号を受信することを含むことを特徴とする請求項９から請求項１２のいずれか一項に記載のビーム検出の方法。
【請求項１４】
Ｍ個のビームを使用してネットワークデバイスによって送信されたビーム品質監視信号を受信するように構成された受信モジュールと、
前記Ｍ個のビーム品質監視信号の信号品質インデックスを決定し、前記Ｍ個のビーム品質監視信号のそれぞれのビーム品質監視信号の信号品質インデックスに基づいて、前記ビーム品質監視信号を送信するために使用されるビームのビーム品質インデックスを決定し、第１の検出レポートを生成するように構成された処理モジュールと、
ネットワークデバイスに前記第１の検出レポートを送信する送信モジュールとを備え、
前記ビーム品質監視信号は、ビーム品質を監視するために使用される信号であり、Ｍは正の整数であり、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含み、ことを特徴とするビーム検出の装置。
【請求項１５】
Ｍ個のビームを使用してビーム品質監視信号を送信するように構成された送信モジュールと、
ユーザ機器により送信された第１の検出レポートを受信するように構成された受信モジュールとを備え、
前記ビーム品質監視信号は、ビーム品質を監視するために使用される信号であり、Ｍは正の整数であり、
前記第１の検出レポートは、前記Ｍ個のビームのうちの第１のしきい値を満たさない少なくとも１つのビームの表示情報と、少なくとも１つのビーム品質インデックスが第１のしきい値を満たさないビームのビーム品質インデックスと、少なくとも１つのビーム品質インデックスが第２のしきい値を満たすビームの表示情報と、少なくとも１つのビーム品質インデックスが第２のしきい値を満たすビームのビーム品質インデックスとのうちの少なくとも１つを含むことを特徴とするビーム検出の装置。
【国際調査報告】
2021501537.tif 000009
2021501537.tif 000010
2021501537.tif 000011
2021501537.tif 000012